(57)【要約】      （修正有）【課題】投写型映像表示装置を簡易に起動することを可能とする投写型映像表示装置を提供する。【解決手段】投写型映像表示装置は、DMD及び投写光学系を収容する筐体を備える。筐体は、基準面と対向する底面（第１の面又は第２の面）を有する。底面（第１の面又は第２の面）には、基準面を検出可能に構成された検出部４００が設けられる。投写型映像表示装置は、検出部４００によって前記基準面が検出された場合に、自装置の運転を開始する運転制御部３２０を備える。【選択図】図６
2011197644.tif 000002
【特許請求の範囲】
【請求項１】
光源から出射される光を変調する光変調素子と、前記光変調素子から出射される光を投写面上に投写する投写光学系とを収容する筐体を備えており、基準面上に配置される投写型映像表示装置であって、
前記筐体は、前記基準面と対向する底面を有しており、
前記底面には、前記基準面を検出可能に構成された検出部が設けられており、
前記検出部によって前記基準面が検出された場合に、自装置の運転を開始する運転制御部を備えることを特徴とする投写型映像表示装置。
【請求項２】
前記検出部は、前記基準面を検出する少なくとも３つ以上の検出点を有することを特徴とする請求項１に記載の投写型映像表示装置。
【請求項３】
前記少なくとも３つ以上の検出点は、前記筐体が前記基準面に配置された状態で通電する機械的なスイッチであることを特徴とする請求項２に記載の投写型映像表示装置。
【請求項４】
前記筐体は、前記投写光学系から出射される光を透過する透過領域を被覆可能に構成されたカバー体と、前記投写光学系に設けられたレンズと連動するフォーカス調整具と有しており、
前記カバー体は、前記カバー体の移動によって、前記透過領域を被覆する被覆状態及び前記透過領域を被覆しない非被覆状態に遷移し、
前記フォーカス調整具は、前記カバー体の移動によって初期位置に戻ることを特徴とする請求項１に記載の投写型映像表示装置。
【請求項５】
前記運転制御部は、前記投写型映像表示装置の運転開始後において、前記筐体内の冷却状態が所定状態よりも悪い場合に、前記投写型映像表示装置の運転を終了することを特徴とする請求項１に記載の投写型映像表示装置。
【請求項６】
光源から出射される光を変調する光変調素子と、前記光変調素子から出射される光を投写面上に投写する投写光学系とを収容する筐体を備えており、基準面上に配置される投写型映像表示装置であって、
前記筐体は、前記投写光学系から出射される光を透過する透過領域を被覆可能に構成されたカバー体と、前記投写光学系に設けられたレンズと連動するフォーカス調整具と有しており、
前記カバー体は、前記カバー体の移動によって、前記透過領域を被覆する被覆状態及び前記透過領域を被覆しない非被覆状態に遷移し、
前記フォーカス調整具は、前記カバー体の移動によって初期位置に戻ることを特徴とする投写型映像表示装置。
【請求項７】
映像光を生成する映像光生成部と、前記映像光生成部を収納する筐体と、前記映像光生成部から出射された前記映像光の出射方向とは異なる方向へ前記映像光を折り曲げて投写面へ投写させる投写部と、を備えた投写型映像表示装置において、
前記映像光が前記筐体から出射する面を正面、前記正面に対向する面を背面、前記投写面と略平行で且つ最も近い面を底面、前記底面に対抗する面を天面、前記正面と前記背面との間で前記底面と前記天面以外の面を側面としたとき、投写型映像表示装置に各種指令を与える操作部が前記天面及び/又は前記側面に配されることを特徴とする投写型映像表示装置。
【請求項８】
前記操作部は操作ボタンを有し、前記操作ボタンの配置は、前記筺体の正面及び背面から確認したときに前後対称に配されていることを特徴とする請求項７に記載の投写型映像表示装置。
【請求項９】
投写される前記映像光の状態を調整する調整部を備え、前記調整部の調整つまみは前記側面に配されていることを特徴とする請求項７に記載の投写型映像表示装置。
【請求項１０】
投写される前記映像光の状態を調整する調整部を備え、前記調整部の調整つまみは前記正面に配されていることを特徴とする請求項７に記載の投写型映像表示装置。
【請求項１１】
電源及び入力信号を入力する入力部を備え、前記入力部は、前記側面に配されることを特徴とする請求項７に記載の投写型映像表示装置。
【請求項１２】
前記調整つまみ及び/又は前記入力部を覆うカバーを備えることを特徴とする請求項９乃至１１のいずれかに記載の投写型映像表示装置。
【請求項１３】
前記筺体内部に冷却風を導く吸気口と、前記筺体内部から冷却風を排出する排気口とを有し、前記筐体は、少なくとも一方向の寸法が変化する可動部を有し、前記可動部を可動させることと連動して前記カバーを可動させることにより前記つまみ、前記入力部、前記吸気口、前記排気口のうち少なくとも一の開閉を行うことを特徴とする請求項７に記載の投写型映像表示装置。
【請求項１４】
映像光を生成する映像光生成部と、前記映像光生成部から出射された前記映像光を投写面側へ反射するミラーと、を備えた投写型映像表示装置であって、
前記映像光生成部へ電力を供給する電力供給部を備え、
前記電力供給部は、前記ミラーと可及的に離れた位置に設けられることを特徴とする投写型映像表示装置。
【請求項１５】
前記映像光生成部を冷却する冷却部をさらに備え、
前記冷却部は、前記ミラーと可及的に離れた位置に設けられることを特徴とする請求項１４に記載の投写型映像表示装置。
【請求項１６】
前記映像光生成部を収納し、略直方体形状を有する筐体をさらに備え、
前記映像光が前記筐体から出射する面を正面、前記正面に対向する面を背面、前記正面と前記背面との間に位置する面であって前記電力供給部が配される面を底面としたとき、
自装置を操作する操作部は、前記正面、前記背面および前記底面を除く面に設けられることを特徴とする請求項１４に記載の投写型映像表示装置。
【請求項１７】
前記投写面が水平面であるとき、
前記電力供給部は自装置の最下部に位置し、
前記ミラーは、前記電力供給部の上部に設けられた前記映像生成部から上方へ出射された前記映像光を前記投写面へ反射する位置に設けられることを特徴とする請求項１４に記載の投写型映像表示装置。
【発明の詳細な説明】
【技術分野】
【０００１】
本発明は、光源から出射される光を変調する光変調素子と、光変調素子から出射される光を投写面上に投写する投写光学系とを備える投写型映像表示装置に関する。
【背景技術】
【０００２】
従来、光源から出射される光を変調する光変調素子と、光変調素子から出射される光を投写面上に投写する投写光学系とを備える投写型映像表示装置が知られている。
【０００３】
近年では、机などの基準面上に配置するタイプの投写型映像表示装置が提案されている。投写型映像表示装置は、基準面と平行な投写面上に光を投写する（例えば、特許文献１）。また、ミラーを含む投写光学系のうち、最後の光学部材として凸面ミラーや凹面ミラーを用いることによって、投写光の出射位置と被投写面との距離を短くする技術が開示されている（例えば、特許文献２、３）。
【先行技術文献】
【特許文献】
【０００４】
【特許文献１】特開２００８−８９９２８号公報
【特許文献２】特開２００８−１３４３５０号公報
【特許文献３】特開２００４−２５８６２０号公報
【発明の概要】
【発明が解決しようとする課題】
【０００５】
ところで、投写型映像表示装置には、電源スイッチなどが設けられており、投写型映像表示装置を起動するためには、電源スイッチを押下する必要がある。一方で、ユーザの利便性の観点からは、ユーザ操作が少ない方が好ましい。
【０００６】
そこで、本発明は、上述した課題を解決するためになされたものであり、投写型映像表示装置を簡易に起動することを可能とする投写型映像表示装置を提供することを目的とする。
【課題を解決するための手段】
【０００７】
第１−１の特徴に係る投写型映像表示装置は、光源（光源１０）から出射される光を変調する光変調素子（DMD７０）と、前記光変調素子から出射される光を投写面上に投写する投写光学系（投写光学系１１０）とを収容する筐体（筐体２００）を備える。投写型映像表示装置は、基準面上に配置される。前記筐体は、前記基準面と対向する底面（第１の面２２０又は第２の面２３０）を有する。前記底面には、前記基準面を検出可能に構成された検出部（検出部４００）が設けられる。投写型映像表示装置は、前記検出部によって前記基準面が検出された場合に、自装置の運転を開始する運転制御部（運転制御部３２０）を備える。
【０００８】
第１−１の特徴において、前記検出部は、前記基準面を検出する少なくとも３つ以上の検出点を有する。
【０００９】
第１−１の特徴において、前記少なくとも３つ以上の検出点は、前記筐体が前記基準面に配置された状態で通電する機械的なスイッチである。
【００１０】
第１−１の特徴において、前記筐体は、前記投写光学系から出射される光を透過する透過領域を被覆可能に構成されたカバー体（第１筐体２００Ａ又はカバー体２００Ｃ）と、前記投写光学系に設けられたレンズと連動するフォーカス調整具（フォーカス調整具２６０）とを有する。前記カバー体は、前記カバー体の移動によって、前記透過領域を被覆する被覆状態及び前記透過領域を被覆しない非被覆状態に遷移する。前記フォーカス調整具は、前記カバー体の移動によって初期位置に戻る。
【００１１】
第１−１の特徴において、前記運転制御部は、前記投写型映像表示装置の運転開始後において、前記筐体内の冷却状態が所定状態よりも悪い場合に、前記投写型映像表示装置の運転を終了する。
【００１２】
第１−２の特徴に係る投写型映像表示装置は、光源から出射される光を変調する光変調素子と、前記光変調素子から出射される光を投写面上に投写する投写光学系とを収容する筐体を備える。投写型映像表示装置は、基準面上に配置される。前記筐体は、前記投写光学系から出射される光を透過する透過領域を被覆可能に構成されたカバー体と、前記投写光学系に設けられたレンズと連動するフォーカス調整具と有する。前記カバー体は、前記カバー体の移動によって、前記透過領域を被覆する被覆状態及び前記透過領域を被覆しない非被覆状態に遷移する。前記フォーカス調整具は、前記カバー体の移動によって初期位置に戻る。
【００１３】
第２−１の特徴に係る投写型映像表示装置は、映像光を生成する映像光生成部と、前記映像光生成部を収納する筐体と、前記映像光生成部から出射された前記映像光の出射方向とは異なる方向へ前記映像光を折り曲げて投写面へ投写させる投写部とを備える。投写型映像表示装置は、前記映像光が前記筐体から出射する面を正面、前記正面に対向する面を背面、前記投写面と略平行で且つ最も近い面を底面、前記底面に対抗する面を天面、前記正面と前記背面との間で前記底面と前記天面以外の面を側面としたとき、投写型映像表示装置に各種指令を与える操作部（電源ボタン２１６６、メニューボタン２１６７、方向ボタン２１６８）が前記天面及び/又は前記側面に配される。
【００１４】
かかる特徴によれば、投写型映像表示装置が映像を投写する状態（図３３参照）で設置されたとき、操作ボタンの操作時に投写画面に影響の出ない位置に操作ボタンを配置されているので、投写中に操作ボタンを操作してもユーザにより投写映像を遮ることがなくなる。
【００１５】
第２−１の特徴において、前記操作部は操作ボタンを有し、前記操作ボタンの配置は、前記筺体の正面及び背面から確認したときに前後対称に配されていることを特徴としてもよい。
【００１６】
第２−１の特徴において、投写される前記映像光の状態を調整する調整部を備え、前記調整部の調整つまみは前記側面に配されていることを特徴としてもよい。
【００１７】
第２−１の特徴において、投写される前記映像光の状態を調整する調整部を備え、前記調整部の調整つまみは前記正面に配されていることを特徴としてもよい。
【００１８】
第２−１の特徴において、電源及び入力信号を入力する入力部を備え、前記入力部は、前記側面に配されることを特徴としてもよい。
【００１９】
第２−１の特徴において、前記調整つまみ及び/又は前記入力部を覆うカバーを備えることを特徴としてもよい。
【００２０】
第２−１の特徴において、前記筺体内部に冷却風を導く吸気口と、前記筺体内部から冷却風を排出する排気口とを有し、前記筐体は、少なくとも一方向の寸法が変化する可動部を有し、前記可動部を可動させることと連動して前記カバーを可動させることにより前記つまみ、前記入力部、前記吸気口、前記排気口のうち少なくとも一の開閉を行うことを特徴としてもよい。
【００２１】
第３−１の特徴に係る投写型映像表示装置（投写型映像表示装置１１００）は、映像光を生成する映像光生成部（映像光生成部１１４０）と、前記映像光生成部から出射された前記映像光を投写面側へ反射するミラー（例えば、非球面ミラー１１１２）と、を備えるものである。投写型映像表示装置は、前記映像光生成部へ電力を供給する電力供給部（例えば、バッテリ部１１５０）を備え、前記電力供給部は、前記ミラーと可及的に離れた位置に設けられる。
【００２２】
かかる構成によれば、重量のあるミラーと電力供給部とが離れた位置に設けられるので、装置全体の重量バランスを平衡に保つことができる。
【００２３】
第３−１の特徴において、前記映像光生成部を冷却する冷却部（冷却部１１７０）をさらに備え、前記冷却部もまた、前記ミラーと可及的に離れた位置に設けられるとよい。これにより、ミラーや電力供給部についで、重量のある冷却部がミラーと離れた位置に設けられるので、装置全体の重量バランスを平衡に保つことができる。また、電力供給部と冷却部とが近接した位置に設けられる場合、電力供給部と冷却部とが設けられる領域が底部となるように設置すれば、底面積が小さい場合でも安定して設置することができる。
【００２４】
第３−１の特徴において、前記映像光生成部を収納し、略直方体形状を有する筐体（筐体１１０１）をさらに備え、前記映像光が前記筐体から出射する面を正面（正面１１０６）、前記正面に対向する面を背面（背面１１０７）、前記正面と前記背面との間に位置する面であって前記電力供給部が配される面を底面（底面１１０５）としたとき、自装置を操作する操作部（例えば、電源スイッチ１１６６や操作ボタン１１６７）は、前記正面、前記背面および前記底面を除く面に設けられるとよい。これにより、筐体の正面に操作部が無いので、ユーザが操作部を操作するときに、映像光が通る正面側の領域に手が入り、映像光を遮光してしまう虞がない。また、設置面となる背面や底面にも操作部が無いので、どのような設置状態でもユーザは操作部を操作することができる。
【００２５】
詳細には、第３−１の特徴において、前記投写面が水平面（例えば、ＸＹ面）であるとき、前記電力供給部は自装置の最下部に位置し、前記ミラーは、前記電力供給部の上部に設けられた前記映像生成部から上方へ出射された前記映像光を前記投写面へ反射する位置に設けられることを要旨とする。
【００２６】
かかる構成によれば、様々な設置状態において、安定性のよい投写型映像表示装置を提供することができる。
【発明の効果】
【００２７】
本発明によれば、投写型映像表示装置を簡易に起動することを可能とする投写型映像表示装置を提供することができる。
【図面の簡単な説明】
【００２８】
【図１】第１−１実施形態に係る投写型映像表示装置１００の概略構成を示す図である。
【図２】第１−１実施形態に係る投写型映像表示装置１００の概略構成を示す図である。
【図３】第１−１実施形態に係る投写型映像表示装置１００の光学構成を説明するための図である。
【図４】第１−１実施形態に係る第１筐体２００Ａのスライドを説明するための図である。
【図５】第１−１実施形態に係る第１筐体２００Ａのスライドを説明するための図である。
【図６】第１−１実施形態に係る制御ユニット３００を示すブロック図である。
【図７】第１−１実施形態に係る検出部４００の構成例を説明するための図である。
【図８】第１−１実施形態に係る検出部４００の構成例を説明するための図である。
【図９】第１−１実施形態に係る検出点４１０の配置例を説明するための図である。
【図１０】第１−１実施形態に係る検出点４１０の配置例を説明するための図である。
【図１１】第１−１実施形態に係る検出点４１０の配置例を説明するための図である。
【図１２】第１−２実施形態に係る投写型映像表示装置１００の構成例を示す図である。
【図１３】第１実施形態の変形例１に係る投写型映像表示装置１００の構成例を示す図である。
【図１４】第２−１実施形態に係る投写型映像表示装置の構成を示す正面図である。
【図１５】第２−１実施形態に係る投写型映像表示装置の構成を示す側面図である。
【図１６】第２−１実施形態に係る投写型映像表示装置の外部構成を示す斜視図である。
【図１７】第２−１実施形態に係る操作ボタンを示す図である。
【図１８】第２−１実施形態に係る操作ボタンの変形例を示す図である。
【図１９】第２−１実施形態に係る投写型映像表示装置が映像光を投写するときの内部構成を示す図である。
【図２０】第２−１実施形態に係る投写型映像表示装置を収納するときの内部構成を示す図である。
【図２１】第２−１実施形態の変形例１に係る投写型映像表示装置が映像光を投写するときの内部構成を示す図である。
【図２２】第２−１実施形態の変形例１に係る投写型映像表示装置を収納するときの内部構成を示す図である。
【図２３】第２−１実施形態の変形例２に係る投写型映像表示装置が映像光を投写するときの内部構成を示す図である。
【図２４】第２−１実施形態の変形例２に係る投写型映像表示装置を収納するときの内部構成を示す図である。
【図２５】第２−１実施形態の変形例３に係る投写型映像表示装置が映像光を投写するときの内部構成を示す図である。
【図２６】第２−１実施形態の変形例３に係る投写型映像表示装置を収納するときの内部構成を示す図である。
【図２７】第２−２実施形態に係る投写型映像表示装置の構成を示す正面図及び側面図である。
【図２８】第２−３実施形態に係る投写型映像表示装置の構成を示す正面図である。
【図２９】第２−３実施形態に係る投写型映像表示装置の投写モードを説明する図である。
【図３０】第２−３実施形態の変形例１に係る投写型映像表示装置の投写モードを説明する図である。
【図３１】第２−３実施形態の変形例２に係る投写型映像表示装置の投写モードを説明する図である。
【図３２】第２−３実施形態の変形例３に係る投写型映像表示装置の投写モードを説明する図である。
【図３３】投写型映像表示装置の使用例を示す図である。
【図３４】第２実施形態の変形例４に係る投写型映像表示装置の床面投写モードを示す図である。
【図３５】第２実施形態の変形例４に係る投写型映像表示装置の側面視を示す図である。
【図３６】第２実施形態の変形例４に係る投写型映像表示装置の内部構造を示す図である。
【図３７】第２実施形態の変形例４に係る投写型映像表示装置の右側面視（ＲＩＧＨＴ）、正面視（ＦＲＯＮＴ）及び左側面視（ＬＥＦＴ）を示す図である。
【図３８】第３−１実施形態に係る投写型映像表示装置の構成を示す正面図である。
【図３９】第３−１実施形態に係る投写型映像表示装置の構成を示す側面図である。
【図４０】第３−１実施形態に係る投写型映像表示装置の外部構成を示す斜視図である。
【図４１】第３−１実施形態に係る投写型映像表示装置が映像光を投写するときの内部構成を示す図である。
【図４２】第３−１実施形態に係る投写型映像表示装置を収納するときの内部構成を示す図である。
【図４３】第３−１実施形態の変形例１に係る投写型映像表示装置が映像光を投写するときの内部構成を示す図である。
【図４４】第３−１実施形態の変形例１に係る投写型映像表示装置を収納するときの内部構成を示す図である。
【図４５】第３−１実施形態の変形例２に係る投写型映像表示装置が映像光を投写するときの内部構成を示す図である。
【図４６】第３−１実施形態の変形例２に係る投写型映像表示装置を収納するときの内部構成を示す図である。
【図４７】第３−１実施形態の変形例３に係る投写型映像表示装置が映像光を投写するときの内部構成を示す図である。
【図４８】第３−１実施形態の変形例３に係る投写型映像表示装置を収納するときの内部構成を示す図である。
【図４９】第３−２実施形態に係る投写型映像表示装置の構成を示す正面図である。
【図５０】第３−２実施形態に係る投写型映像表示装置の投写モードを説明する図である。
【図５１】第３−２実施形態の変形例１に係る投写型映像表示装置の投写モードを説明する図である。
【図５２】第３−２実施形態の変形例２に係る投写型映像表示装置の投写モードを説明する図である。
【図５３】第３−２実施形態の変形例３に係る投写型映像表示装置の投写モードを説明する図である。
【図５４】第４実施形態に係る投写型映像表示装置１００の外観を示す図である。
【図５５】第４実施形態に係る投写型映像表示装置１００の内部を示す図である。
【図５６】第４実施形態に係る投写型映像表示装置１００の正面視を示す図である。
【発明を実施するための形態】
【００２９】
以下において、本発明の実施形態に係る投写型映像表示装置について、図面を参照しながら説明する。なお、以下の図面の記載において、同一又は類似の部分には、同一又は類似の符号を付している。
【００３０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００３１】
［第１実施形態の概要］
第１に、第１実施形態に係る投写型映像表示装置は、光源から出射される光を変調する光変調素子と、光変調素子から出射される光を投写面上に投写する投写光学系とを収容する筐体を備える。投写型映像表示装置は、基準面上に配置される。筐体は、基準面と対向する底面を有する。底面には、基準面を検出可能に構成された検出部が設けられる。投写型映像表示装置は、検出部によって基準面が検出された場合に、自装置の運転を開始する運転制御部を備える。
【００３２】
第１実施形態では、運転制御部は、検出部によって基準面が検出された場合に、自装置の運転を開始する。従って、投写型映像表示装置を基準面に配置するだけで、投写型映像表示装置が起動するため、電源スイッチを押下が不要である。また、検出部が基準面を検出可能に構成されるため、投写型映像表示装置の誤起動が抑制される。
【００３３】
第２に、第１実施形態に係る投写型映像表示装置は、光源から出射される光を変調する光変調素子と、光変調素子から出射される光を投写面上に投写する投写光学系とを収容する筐体を備える。投写型映像表示装置は、基準面上に配置される。筐体は、投写光学系から出射される光を透過する透過領域を被覆可能に構成されたカバー体と、投写光学系に設けられたレンズと連動するフォーカス調整具と有する。カバー体は、カバー体の移動によって、透過領域を被覆する被覆状態及び透過領域を被覆しない非被覆状態に遷移する。フォーカス調整具は、カバー体の移動によって初期位置に戻る。
【００３４】
第１実施形態では、フォーカス調整具は、カバー体の移動によって初期位置に戻る。従って、投写型映像表示装置の起動時に、フォーカス調整具が初期位置に戻っているため、フォーカス調整具を用いたフォーカス調整量を少なくでき、投写型映像表示装置の起動時に必要な操作が簡略化される。
【００３５】
［第１−１実施形態］
（投写型映像表示装置の概略構成）
以下において、第１−１実施形態に係る投写型映像表示装置の概略構成について、図面を参照しながら説明する。図１は、第１−１実施形態に係る投写型映像表示装置１００（床面投写）を示す図である。図２は、第１−１実施形態に係る投写型映像表示装置１００（壁面投写）を示す図である。
【００３６】
図１及び図２に示すように、投写型映像表示装置１００は、筐体２００を有しており、投写面（不図示）に映像を投写する。筐体２００には、後述する投写光学系１１０から出射される光を透過する透過領域２１０が設けられる。
【００３７】
ここで、投写面は、図１に示すように、床面や机上などの水平面に設けられていてもよく、図２に示すように、壁面などの垂直面（例えば、スクリーン）に設けられてもよい。すなわち、投写型映像表示装置１００は、映像光を床面や机上などの水平面に投写するように配置されてもよく、映像光を壁面などの垂直面に投写するように配置されてもよい。
【００３８】
図１に示すケースでは、略直方体の筐体２００が有する面のうち、第１の面２２０が、床面などの基準面と対向する底面を構成する。一方で、図２に示すケースでは、略直方体の筐体２００が有する面のうち、第２の面２３０が、床面などの基準面と対向する底面を構成する。なお、図２に示すケースにおいて、投写面と略平行な面（壁面など）に当接するように筐体２００が配置される場合には、投写面と略平行な面が基準面であると捉えて、第１の面２２０を底面と考えてもよい。
【００３９】
ここで、第１の面２２０は、長い投写距離を確保するために、略直方体の筐体２００が有する面のうち、透過領域２１０から最も離れた面であることに留意すべきである。また、第２の面２３０は、略直方体の筐体２００が有する面のうち、透過領域２１０が設けられる面の反対側に設けられた面であることに留意すべきである。
【００４０】
なお、投写型映像表示装置１００のサイズは、２００ｍｌ〜２ｌの容積を有するペットボトル程度である。例えば、投写型映像表示装置１００の容積は、９００ｍｌ程度であり、投写型映像表示装置１００の重量は、８００ｇ程度である。投写型映像表示装置１００によって表示される映像のサイズは、例えば、２０インチ程度である。また、投写型映像表示装置１００と投写面との距離が非常に近いことに留意すべきである。
【００４１】
（投写型映像表示装置の光学構成）
以下において、第１−１実施形態に係る投写型映像表示装置の光学構成について、図面を参照しながら説明する。図３は、第１−１実施形態に係る投写型映像表示装置１００の光学構成を主として示す図である。
【００４２】
図３に示すように、投写型映像表示装置１００は、投写光学系１１０と、照明光学系１２０と、冷却ファン１３０と、バッテリ１４０と、電源基板１５０と、主制御基板１６０と、操作基板１７０とを有する。また、投写型映像表示装置１００は、DMD７０と、反射プリズム８０とを有する。
【００４３】
また、筐体２００は、第１筐体２００Ａ及び第２筐体２００Ｂによって構成される。上述した透過領域２１０は、第１筐体２００Ａに設けられる。なお、第１筐体２００Ａの一部又は全部は、後述するように、第２筐体２００Ｂに収容可能に構成される。
【００４４】
投写光学系１１０は、DMD７０から出射された色成分光（映像光）を投写面に投写する。具体的には、投写光学系１１０は、投写レンズ群１１１と、反射ミラー１１２とを有する。
【００４５】
投写レンズ群１１１は、DMD７０から出射された色成分光（映像光）を反射ミラー１１２側に出射する。投写レンズ群１１１は、投写光学系１１０の光軸Ｌを中心とする略円形形状のレンズ、投写光学系１１０の光軸Ｌを中心とする略円形形状の一部分によって構成される形状（例えば、下半分の半円形状）のレンズなどを含む。
【００４６】
なお、投写レンズ群１１１に含まれるレンズの径は、反射ミラー１１２に近いほど大きいことに留意すべきである。
【００４７】
反射ミラー１１２は、投写レンズ群１１１から出射された色成分光（映像光）を反射する。反射ミラー１１２は、映像光を集光した上で、映像光を広角化する。例えば、反射ミラー１１２は、投写レンズ群１１１側に凹面を有する非球面ミラーである。ここで、反射ミラー１１２は、投写光学系１１０の光軸Ｌを中心とする略円形形状の一部分によって構成される形状（例えば、下半分の半円形状）を有する。
【００４８】
反射ミラー１１２で集光された映像光は、筐体２００に設けられた透過領域２１０を透過する。筐体２００に設けられた透過領域２１０は、反射ミラー１１２によって映像光が集光される位置近傍に設けられることが好ましい。
【００４９】
照明光学系１２０は、光源１０と、ダイクロイックプリズム３０と、ロッドインテグレータ４０と、ミラー５１と、ミラー５２と、レンズ６１と、レンズ６２と、レンズ６３とを有する。
【００５０】
光源１０は、複数色の色成分光を個別に出射するように構成される。また、光源１０には、光源１０で生じる熱を放熱するヒートシンクが併設されていてもよい。なお、光源１０は、例えば、光源１０Ｒ、光源１０Ｇ及び光源１０Ｂによって構成される。
【００５１】
光源１０Ｒは、赤成分光Ｒを出射する光源であり、例えば、赤ＬＥＤ（Ｌｉｇｈｔ  Ｅｍｉｔｔｉｎｇ  Ｄｉｏｄｅ）や赤ＬＤ（Ｌａｓｅｒ  Ｄｉｏｄｅ）である。光源１０Ｒには、金属などのように放熱性が良好な部材によって構成されるヒートシンクが併設されてもよい。
【００５２】
光源１０Ｇは、緑成分光Ｇを出射する光源であり、例えば、緑ＬＥＤや緑ＬＤである。光源１０Ｇには、金属などのように放熱性が良好な部材によって構成されるヒートシンクが併設されてもよい。
【００５３】
光源１０Ｂは、青成分光Ｂを出射する光源であり、例えば、青ＬＥＤや青ＬＤである。光源１０Ｂには、金属などのように放熱性が良好な部材によって構成されるヒートシンクが併設されてもよい。
【００５４】
ダイクロイックプリズム３０は、光源１０Ｒから出射される赤成分光Ｒ、光源１０Ｇから出射される緑成分光Ｇ、光源１０Ｂから出射される青成分光Ｂを合成する。
【００５５】
ロッドインテグレータ４０は、光入射面と、光出射面と、光入射面の外周から光出射面の外周に亘って設けられる光反射側面とを有する。ロッドインテグレータ４０は、ダイクロイックプリズム３０から出射された色成分光を均一化する。詳細には、ロッドインテグレータ４０は、光反射側面で色成分光を反射することによって、色成分光を均一化する。なお、ロッドインテグレータ４０は、ガラスなどによって構成される中実ロッドであってもよく、ミラー面によって内面が構成される中空ロッドであってもよい。
【００５６】
例えば、第１−１実施形態では、ロッドインテグレータ４０は、光源１０から出射される光の進行方向に向けて、光の進行方向に垂直な断面が大きくなるテーパ形状を有する。但し、実施形態は、これに限定されるものではない。ロッドインテグレータ４０は、光源１０から出射される光の進行方向に向けて、光の進行方向に垂直な断面が小さくなる逆テーパ形状を有してもよい。
【００５７】
ミラー５１及びミラー５２は、ロッドインテグレータ４０から出射された光をDMD７０に導くために、光の光路を折り曲げる反射ミラーである。
【００５８】
レンズ６１、レンズ６２及びレンズ６３は、光源１０から出射された色成分光の拡大を抑制しながら、色成分光をDMD７０上に略結像するリレーレンズである。
【００５９】
冷却ファン１３０は、筐体２００の外部に連通しており、筐体２００内の熱を放出するように構成される。或いは、冷却ファン１３０は、筐体２００の外部の空気を筐体２００内に送り込むように構成される。例えば、冷却ファン１３０は、光源１０の近傍に設けられており、光源１０を冷却するように構成される。
【００６０】
バッテリ１４０は、投写型映像表示装置１００に供給すべき電力を蓄積する。
【００６１】
電源基板１５０は、バッテリ１４０に接続されており、ＡＣ電力をＤＣ電力に変換する電力変換回路を有する。
【００６２】
主制御基板１６０は、投写型映像表示装置１００の動作を制御する主制御回路（後述する制御ユニット３００）を有する。
【００６３】
操作基板１７０は、投写型映像表示装置１００に設けられる操作部（ボタンなど）に接続されており、操作部から入力される操作信号を主制御基板１６０（主制御回路）に伝達する。
【００６４】
DMD７０は、複数の微小ミラーによって構成されており、複数の微小ミラーは可動式である。各微小ミラーは、基本的に１画素に相当する。DMD７０は、各微小ミラーの角度を変更することによって、色成分光が有効光として投写光学系１１０側に導かれるように色成分光を反射するか否かを切り替える。
【００６５】
反射プリズム８０は、照明光学系１２０から出射される光をDMD７０側に透過する。一方で、反射プリズム８０は、DMD７０から出射される光を投写光学系１１０側に反射する。
【００６６】
なお、図４及び図５に示すように、第１筐体２００Ａは、第２筐体２００Ｂの内壁に沿ってスライド可能に構成される。反射ミラー１１２は、第１筐体２００Ａのスライドと連動して、回動軸Ｐを中心として回動する。
【００６７】
（制御ユニットの構成）
以下において、第１−１実施形態に係る制御ユニットについて、図面を参照しながら説明する。図６は、第１−１実施形態に係る制御ユニット３００を示すブロック図である。制御ユニット３００は、投写型映像表示装置１００に設けられており、投写型映像表示装置１００を制御する。
【００６８】
図６に示すように、制御ユニット３００は、検出部４００及びバッテリ１４０に接続される。制御ユニット３００は、判定部３１０と、運転制御部３２０とを有する。
【００６９】
検出部４００は、筐体２００の底面（第１の面２２０或いは第２の面２３０）に設けられる。検出部４００は、基準面を検出可能に構成される。なお、検出部４００の詳細については後述する（図７〜図１１を参照）。
【００７０】
判定部３１０は、検出部４００の検出結果に基づいて、筐体２００の底面（第１の面２２０或いは第２の面２３０）が基準面に配置されているか否かを判定する。具体的には、判定部３１０は、平らな面に筐体２００の底面が安定的に配置されている旨の検出結果が得られた場合に、筐体２００の底面が基準面に配置されていると判定する。一方で、判定部３１０は、凹凸を有する面に筐体２００の底面が配置されている旨の検出結果が得られた場合に、筐体２００の底面が基準面に配置されていないと判定する。
【００７１】
運転制御部３２０は、判定部３１０の判定結果に基づいて、投写型映像表示装置１００の運転を制御する。具体的には、運転制御部３２０は、筐体２００の底面（第１の面２２０或いは第２の面２３０）が基準面に配置されていると判定された場合に、投写型映像表示装置１００の運転を開始する。すなわち、運転制御部３２０は、投写型映像表示装置１００を起動する。一方で、運転制御部３２０は、筐体２００の底面（第１の面２２０或いは第２の面２３０）が基準面に配置されていないと判定された場合に、投写型映像表示装置１００の運転を開始しない。すなわち、運転制御部３２０は、投写型映像表示装置１００を起動しない。
【００７２】
第１−１実施形態では、運転制御部３２０は、投写型映像表示装置１００の運転を開始する場合に、バッテリ１４０に対して電力を供給するように指示する。
【００７３】
（検出部の構成例）
以下において、第１−１実施形態に係る検出部の構成例について、図面を参照しながら説明する。図７及び図８は、第１−１実施形態に係る検出部４００の構成例を模式的に示す図である。
【００７４】
図７及び図８に示すように、検出部４００は、複数の検出点４１０（検出点４１０Ａ〜検出点４１０Ｃ）を有する。複数の検出点４１０は、平らな面に筐体２００の底面が安定的に配置された状態で通電する機械的なスイッチである。すなわち、複数の検出点４１０は、全ての検出点４１０が平らな平面から均一な応力を受ける状態で通電するように構成される。
【００７５】
例えば、筐体２００の底面（第１の面２２０或いは第２の面２３０）のうち、検出点４１０が設けられる部分は、ゴムなどの弾性部材４１１（弾性部材４１１Ａ〜弾性部材４１１Ｃ）によって構成される。各弾性部材４１１は、一定の応力に応じて、筐体２００の内側に向けて変形する。すなわち、検出点４１０が一定の応力を受けると、弾性部材４１１の変形に伴って検出点４１０が筐体２００の内側に沈み込む。
【００７６】
なお、検出点４１０の数がＮ個である場合に、一定の応力は、投写型映像表示装置１００の重量×１／Ｎであってもよい。或いは、一定の応力は、検出精度に幅を持たせるために、投写型映像表示装置１００の重量×１／（Ｎ＋１）であってもよい。例えば、投写型映像表示装置１００の重量が８００ｇであり、検出点４１０の数が３個である場合には、２００ｇ（＝８００ｇ×１／４）である。
【００７７】
従って、図７に示すように、凹凸を有する面に筐体２００の底面が配置された場合には、検出部４００が通電を検出することができないため、検出部４００は、筐体２００が基準面に配置されていない旨を検出する。
【００７８】
一方で、図８に示すように、平らな平面に筐体２００の底面が配置された場合には、検出部４００が通電を検出するため、検出部４００は、筐体２００が基準面に配置されている旨を検出する。
【００７９】
ここで、検出点４１０の数は、図９に示すように、２つであってもよい。このような場合には、２つの検出点４１０（検出点４１０Ａ〜検出点４１０Ｂ）は、筐体２００の底面において対角線上に配置される。また、筐体２００の安定性を向上するために、ダミー点５１０（ダミー点５１０Ａ及びダミー点５１０Ｂ）が設けられている。なお、筐体２００の底面に対する垂直方向において、ダミー点５１０の高さは、筐体２００の内側に沈み込んだ状態の検出点４１０の高さと略同様であることが好ましい。
【００８０】
或いは、検出点４１０の数は、図１０に示すように、３つであってもよく、図１１に示すように、４つであってもよい。なお、図１０及び図１１に示すように、検出点４１０の数に応じて、ダミー点５１０が設けられることが好ましい。また、検出点４１０の数は、５つ以上であってもよいことは勿論である。
【００８１】
なお、筐体２００が基準面に配置されている旨の検出精度を高めるために、複数の検出点４１０は、筐体２００の底面において分散して配置されることが好ましい。
【００８２】
（作用及び効果）
第１−１実施形態では、運転制御部３２０は、検出部４００によって基準面が検出された場合に、自装置の運転を開始する。従って、投写型映像表示装置１００を基準面に配置するだけで、投写型映像表示装置１００が起動するため、電源スイッチを押下が不要である。
【００８３】
また、検出部４００は、基準面を検出可能に構成される。検出部４００は、筐体２００の底面が平らな面に安定的に配置されている旨を検出可能に構成される。従って、投写型映像表示装置１００の誤起動が抑制される。
【００８４】
［第１−２実施形態］
以下において、第１−２実施形態について、図面を参照しながら説明する。以下においては、第１−１実施形態との相違点について主として説明する。
【００８５】
（投写型映像表示装置の構成）
以下において、第１−２実施形態に係る投写型映像表示装置の構成について、図面を参照しながら説明する。図１２は、第１−２実施形態に係る投写型映像表示装置１００の構成を示す図である。なお、図１２は、投写型映像表示装置１００を正面から見た図である。図１２では、第１−１実施形態と同様の構成について、同様の符号を付している。
【００８６】
図１２に示すように、筐体２００は、第１−１実施形態と同様に、第１筐体２００Ａ及び第２筐体２００Ｂによって構成される。なお、第１−２実施形態では、第１筐体２００Ａは、第２筐体２００Ｂの外壁に沿ってスライド可能に構成される。
【００８７】
ここで、第１筐体２００Ａは、投写光学系１１０から出射される光を透過する透過領域２１０を被覆可能に構成されたカバー体を構成する。第１筐体２００Ａは、第１筐体２００Ａのスライド（移動）によって、透過領域２１０を被覆する被覆状態と透過領域２１０を被覆しない非被覆状態とに遷移する。
【００８８】
第１−２実施形態では、第１筐体２００Ａは、突起２０１Ａを有する。第２筐体２００Ｂは、フォーカス調整具２６０を有する。フォーカス調整具２６０は、投写光学系１１０に設けられたレンズと連動するように構成されており、投写面に投写される映像のフォーカスを調整するための調整具である。
【００８９】
ここで、フォーカス調整具２６０は、第１筐体２００Ａのスライド（移動）によって初期位置に戻るように構成される。具体的には、非被覆状態から被覆状態への遷移において、第１筐体２００Ａの突起２０１Ａがフォーカス調整具２６０を押し込む。これによって、フォーカス調整具２６０が初期位置に戻る。
【００９０】
例えば、投写面と同じ面内に基準面が設けられているケースにおいて、投写面に投写される映像のフォーカスが合った状態となるように、フォーカス調整具２６０の初期位置が定められることが好ましい。投写面と同じ面内に基準面が設けられているケースでは、投写光学系１１０と投写面との位置関係が固定的であるため、初期設定として「初期位置」を定めることが可能であることに留意すべきである。
【００９１】
（作用及び効果）
第１−２実施形態では、フォーカス調整具２６０は、第１筐体２００Ａ（カバー体）のスライド（移動）によって初期位置に戻る。従って、投写型映像表示装置１００の起動時に、フォーカス調整具２６０が初期位置に戻っているため、フォーカス調整具２６０を用いたフォーカス調整量を少なくでき、投写型映像表示装置１００の起動時に必要な操作が簡略化される。
【００９２】
［第１実施形態の変形例１］
以下において、第１実施形態の変形例１について、図面を参照しながら説明する。以下においては、第１−２実施形態との相違点について主として説明する。なお、第１実施形態の変形例１では、第１−２実施形態と比べて、投写型映像表示装置１００の構成が異なっている。
【００９３】
（投写型映像表示装置の構成）
以下において、第１実施形態の変形例１に係る投写型映像表示装置の構成について、図面を参照しながら説明する。図１３は、第１実施形態の変形例１に係る投写型映像表示装置１００の構成を示す図である。なお、図１３は、投写型映像表示装置１００を側方から見た図である。図１３では、第１−１実施形態と同様の構成について、同様の符号を付している。
【００９４】
図１３に示すように、筐体２００は、カバー体２００Ｃを有する。カバー体２００Ｃは、投写光学系１１０から出射される光を透過する透過領域２１０を被覆可能に構成されたカバー体である。
【００９５】
具体的には、カバー体２００Ｃは、筐体２００に設けられた回動軸２１１を中心として回動可能に構成される。カバー体２００Ｃは、カバー体２００Ｃの回動（移動）によって、透過領域２１０を被覆する被覆状態と透過領域２１０を被覆しない非被覆状態とに遷移する。
【００９６】
第１実施形態の変形例１では、カバー体２００Ｃは、突起２０１Ｃを有する。筐体２００は、フォーカス調整具２６０を有する。フォーカス調整具２６０は、投写光学系１１０に設けられたレンズと連動するように構成されており、投写面に投写される映像のフォーカスを調整するための調整具である。
【００９７】
ここで、フォーカス調整具２６０は、カバー体２００Ｃの回動（移動）によって初期位置に戻るように構成される。具体的には、非被覆状態から被覆状態への遷移において、カバー体２００Ｃの突起２０１Ｃがフォーカス調整具２６０を押し込む。これによって、フォーカス調整具２６０が初期位置に戻る。
【００９８】
（作用及び効果）
第１実施形態の変形例１では、フォーカス調整具２６０は、カバー体２００Ｃの回動（移動）によって初期位置に戻る。従って、投写型映像表示装置１００の起動時に、フォーカス調整具２６０が初期位置に戻っているため、フォーカス調整具２６０を用いたフォーカス調整量を少なくでき、投写型映像表示装置１００の起動時に必要な操作が簡略化される。
【００９９】
［第２実施形態の概要］
（課題）
例えば図３３のように小型のプロジェクタでは、一人のユーザ（例えばユーザＡ）が机上に投写して映像を観察するだけでなく、会議用テーブルに投写して複数のユーザ（例えばユーザＢ〜ユーザＥ）が映像を観察したり、プロジェクタを床面や壁面に設置して壁面に投写するなど、様々な利用状況が想定される。さらにこれらのプロジェクタを操作する場合であれば、図３３(a)〜(c)に示されているユーザの位置から操作することとなり操作インターフェースや入力インターフェース等の配置を十分考慮する必要がある。
【０１００】
（構成）
第２実施形態に係る投写型映像表示装置は、映像光を生成する映像光生成部と、映像光生成部から出射された映像光を投写面側へ反射するミラー（非球面ミラー）と、を備える。そして、映像光生成部へ電力を供給する電力供給部（バッテリ部）を備え、この電力供給部は、ミラーと可及的に離れた位置、具体的には、ミラーが最上部に設けられる場合、電力供給部が最下部に設けられる。また、映像光生成部を冷却する冷却部をさらに備えており、この冷却部もまた、ミラーと可及的に離れた位置、具体的には、電力供給部の少し上方に設けられる。
【０１０１】
さらに、第２実施形態に係る投写型映像表示装置は、少なくとも映像光生成部を収納する筐体と、筐体の上部に設けられた透過領域（投写窓）とを備え、透過領域を通って映像光を投写する。この筐体は、少なくとも一方向の寸法（Ｚ軸方向）が変化する可動部（スライド部）を有しており、映像光を投写しないとき、透過領域は、可動部によって筐体内部に収納され、隠された位置に移動する。
【０１０２】
さらに、第２実施形態に係る投写型映像表示装置は、投写面に対する自装置の状態を検出する検出手段（傾斜センサなど）と、検出された状態に応じて、映像光の状態を制御する制御手段（制御部）と、を備えるものである。
【０１０３】
［第２−１実施形態］
（投写型映像表示装置の構成）
以下において、第２−１実施形態に係る投写型映像表示装置の構成について、図面を参照しながら説明する。図１４は、第２−１実施形態に係る投写型映像表示装置の構成を示す正面図であり、図１５は側面図である。
【０１０４】
図１４に示すように、投写型映像表示装置１１００は、投写レンズ群１１１１と非球面ミラー１１１２とから構成される投写部１１１０と、光変調素子としてのＤＭＤ（Ｄｉｇｉｔａｌ  Ｍｉｃｒｏｍｉｒｒｏｒ  Ｄｅｖｉｃｅ）１１２０と、ＤＭＤ１１２０へ光を照射する照明部１１３０と、ＤＭＤ１１２０や照明部１１３０を構成するＬＥＤ（Ｌｉｇｈｔ  Ｅｍｉｔｔｅｄ  Ｄｅｖｉｃｅ）１１３１などへ電力を供給するバッテリ部１１５０とを有する。
【０１０５】
第２実施形態では、投写型映像表示装置１１００は、バッテリ部１１５０が下部となるように設置するものとする。投写型映像表示装置１１００が設置される面（水平面）をＸＹ平面とし、設置面に対し垂直な方向（鉛直方向）をＺ軸方向と定義する。Ｘ軸方向は投写型映像表示装置１１００の筐体１１０１における幅方向に相当する方向、Ｙ軸方向は筐体１１０１における奥行方向に相当する方向と定義する。
【０１０６】
筐体１１０１は、図１４において、右側面となる一側面１１０２、左側面となる他の側面１１０３、上面となる天面１１０４及び下面となる底面１１０５を有する。また、筐体１１０１は、図１５における映像光が出射する側の面となる正面１１０６、正面１１０６の裏面となる背面１１０７を有する。
【０１０７】
尚、一側面１１０２、他の側面１１０３、天面１１０４、底面１１０５、正面１１０６、背面１１０７は、筺体１１０１の面のみであると狭義に捉えるべきではない。後述するが可動等により露出する面や段差のある部分にある面等、上下前後左右より認識できる面はそれぞれ一側面１１０２、他の側面１１０３、天面１１０４、底面１１０５、正面１１０６、背面１１０７の概念と、広く捉えるべきである。
【０１０８】
また、筐体１１０１は、６面が平面である略直方体形状を有しているがそれに限るものではない。例えば６面の少なくとも一面が曲面を有していてもよい。従って本発明の面は、曲面を含む概念であることに留意すべきである。
【０１０９】
投写部１１１０は、複数のレンズから構成される投写レンズ群１１１１と凹面の非球面ミラーから構成される非球面ミラー１１１２と映像光が出射する投写窓１１１３（図１５参照）とを有する。投写レンズ群１１１１は、ＤＭＤ１１２０にて変調された映像光をＺ軸方向へ出射する。非球面ミラー１１１２は、投写レンズ群１１１１の上方に設けられており、投写レンズ群１１１１からの映像光を斜め下方に向けて反射する。非球面ミラー１１１２は凹面ミラーであるので、映像光は集光した後、拡大投写される。投写窓１１１３は、映像光が集光する位置の近傍に設けられる。映像光は、投写レンズ群１１１１と非球面ミラー１１１２との間で結像し、投写型映像表示装置１１００の設置面（図中のＸＹ平面）にて、再度、結像する。
【０１１０】
ＤＭＤ１１２０は、照明部１１３０から時分割で照射される青、緑、赤の照明光を、映像入力信号に応じて変調する。ＤＭＤ１１２０は、映像光を投写レンズ群１１１１へ導くプリズムブロック１１２１と一体的に設けられる。プリズムブロック１１２１は、照明部１１３０からの照明光を透過するとともに、ＤＭＤ１１２０にて変調した映像光を全反射して、投写レンズ群１１１１へ導く面１１２１ａを有する。ＤＭＤ１１２０の近傍には、ＤＭＤ１１２０を制御するＤＭＤ制御回路１１２２が配される。ＤＭＤ制御回路１１２２は、映像入力信号及びＬＥＤ制御信号に応じてＤＭＤ１１２０を制御する。
【０１１１】
照明部１１３０は、赤、緑、青の光を出射するＬＥＤ１１３１Ｒ、１１３１Ｇ、１１３１Ｂと、赤、緑、青の光を合成してＤＭＤ１１２０へ照射する複数の光学部材を有する。第２実施形態では、赤、緑、青の光を合成する光学部材として、ダイクロイックプリズム１１３２を用いる。ダイクロイックプリズム１１３２にて合成された合成光は、テーパロッド１１３３を用いて光量分布を均一化する。テーパロッド１１３３後段のレンズ１１３４、１１３５、１１３６には、テーパロッド１１３３から出射した光を平行光化するとともにＤＭＤ１１２０に結像させる作用を有する。ミラー１１３７、１１３８には、合成光の光路をスペースに合わせて折り曲げる作用を有する。
【０１１２】
ＬＥＤ１１３１近傍には、ＬＥＤ１１３１を制御するＬＥＤ制御回路１１３９が配される。ＬＥＤ制御回路１１３９は、映像入力信号に応じてＬＥＤ１１３１Ｒ、１１３１Ｇ、１１３１Ｂの発光量及び発光タイミングを制御する。また、ＬＥＤ制御回路１１３９は、発光量及び発光タイミングに関するＬＥＤ制御信号をＤＭＤ制御回路１１２２へ送る。ＬＥＤ制御回路１１３９は、配線を短くするため、ＬＥＤ１１３１近傍に配することが望ましい。一方、電磁波の影響を考慮して、ＤＭＤ制御回路１１２２とは可及的に離して配置することも望まれる。
【０１１３】
ＤＭＤ１１２０と照明部１１３０とを併せて映像光生成部１１４０と称する。
【０１１４】
バッテリ部１１５０は、ニッケル水素２次電池から構成されるバッテリ１１５１と、バッテリ１１５１の充放電を制御するバッテリ制御回路１１５２と、商用電源と接続される電源コネクタ１１５３とを有する。バッテリ１１５１は、Ｚ軸方向の寸法に対し、Ｘ軸方向またはＹ軸方向の寸法が十分に大きい（２倍以上）形状を有する。バッテリ制御回路１１５２は、商用電源から電源コネクタ１１５３を介してバッテリ１１５１へ供給される電力を制御するとともに、バッテリ１１５１から映像光生成部１１４０（特に、ＬＥＤ１１３１やＤＭＤ１１２０）へ供給される電力を制御する。バッテリとしては、ニッケル水素２次電池以外にも、リチウムイオン２次電池でもキャパシタでもよい。
【０１１５】
制御部１１６０は、大別して、ＤＭＤ制御回路１１２２、ＬＥＤ制御回路１１３９及び投写型映像表示装置１１００全体を制御する制御回路１１６９を含む。具体的には、投写部１１１０（特に、投写レンズ群１１１１）の一側面１１０２側の領域に、制御回路１１６９が配されており、制御回路１１６９は、映像入力信号などに応じて、ＤＭＤ制御回路１１２２及びＬＥＤ制御回路１１３９へ制御信号を送る。詳細は後述するが、映像入力信号は、制御回路１１６９と接続された映像コネクタ１１６１、ＳＤカードのスロット１１６３、ＵＳＢコネクタ１１６４から入力される（図１６参照）。制御回路１１６９は、電源ボタン１１６６及び方向ボタン１１６８にも接続される。制御回路１１６９は、電源ボタン１１６６や方向ボタン１１６８からのユーザ指示に応じて、投写型映像表示装置１１００全体を制御する。
【０１１６】
投写レンズ群１１１１の、他の側面１１０３側の領域には、冷却部１１７０が配される。具体的には、排気口１１７１近傍に設けられた軸流ファン１１７２、ＬＥＤ１１３１を冷却するシロッコファン１１７３及びＤＭＤ１１２０を冷却するヒートシンク（不図示）が配される。投写型映像表示装置１１００を冷却する空気は、一側面１１０２上部に設けられた吸気口１１７４から供給され、投写型映像表示装置１１００内部を流通して制御部１１６０、映像光生成部１１４０を冷却した後、他の側面１１０３下部に設けられた排気口１１７１から排気される。
【０１１７】
筐体１１０１の対角となる位置に吸気口１１７４及び排気口１１７１を設けることにより、効率よく投写型映像表示装置１１００を冷却することができる。また、吸気口１１７４及び排気口１１７１は、それぞれ一側面１１０２及び他の側面１１０３に設けられているので、背面１１０７が設置面となる場合でも、吸排気口が塞がれることはない。吸気口１１７４は、後述するスライド部により、投写型映像表示装置１１００を使用しないときには閉鎖される。この構成により、保管中に、投写型映像表示装置１１００内部に埃などが侵入することを防止することができる。なお、シロッコファン１１７３は、吸気口１１７４とは別の吸気口を設けるとよい。
【０１１８】
（投写型映像表示装置の外部構成）
以下において、第２−１実施形態に係る投写型映像表示装置の外部構成について、図面を参照しながら説明する。図１６は第２−１実施形態に係る投写型映像表示装置の外部構成を示す図であって、図１６（ａ）は左斜視図、図１６（ｂ）は右斜視図である。
【０１１９】
筐体１１０１は、投写窓１１１３が配され、映像光が出射する側の面である正面１１０６、正面１１０６と対向する位置に配された背面１１０７を有する。また、筐体１１０１は、投写型映像表示装置１１００が机上または床面に映像光を投写するように設置したときに、上面となる天面１１０４、天面１１０４と対向する位置に配された底面１１０５を有する。略直方体形状を有する投写型映像表示装置１１００において、残る２面において、上述した電源コネクタ１１５３を配した面を一側面１１０２、一側面１１０２と対向する位置に配された面を他の側面１１０３とする。
【０１２０】
一側面１１０２には、電源コネクタ１１５３のほか、ＰＣ（Ｐｅｒｓｏｎａｌ  Ｃｏｍｐｕｔｅｒ）などの映像ソースと接続される映像コネクタ１１６１、ＳＤカードのスロット１１６３、ＵＳＢコネクタ１１６４などが設けられる。これらのコネクタ類は、一側面１１０２のうち、底面１１０５に近い部分に設けられるとよい。
【０１２１】
これらのコネクタ類は、一側面１１０２のうち、底面１１０５に近い部分に設けられると、コネクタ類に接続されたコードが長く垂れ下がることがなく、ユーザがコードに引っかかるといったことが生じる可能性が低くなる。さらにコネクタ部分に定常的な応力が加わり、コネクタやコードが変形する可能性が低くなる。図３３に示されるように投写型映像表示装置１１００は、図３３（ａ）（ｃ）のような設置状態としたとき、コネクタ類が配される面を設置面にする必要がない。
【０１２２】
一側面１１０２は、後述するスライド部により、保管するときには、内部に収納される重畳部１１０２ａを有する。一側面１１０２に配された吸気口１１７４は、スライド部１１９０が収納されたときにスライド部１１９０の一側面１１０２と重畳する位置に設けられるとよい。
【０１２３】
他の側面１１０３には排気口１１７１が設けられる。上述のように、吸気口１１７４は、重畳部１１０２ａが収納されたときに一側面１１０２と重畳する位置、具体的には、一側面１１０２のうち、天面１１０４に近い位置に設けられるので、排気口１１７１は、他の側面１１０３のうち、底面１１０５に近い部分に設けられるとよい。
【０１２４】
また、投写レンズ群１１１１は、Ｚ方向へ可動し投写映像のフォーカスを調整するフォーカスレンズが設けられている。フォーカスレンズは図示しないカム管に取り付けられＺ方向へ精度よく可動させることができる。他の側面１１０３には、フォーカスレンズを調整するためにユーザがつまむための調整つまみ１１６５が設けられる。調整つまみ１１６５をＹ軸方向へ可動させることにより、カム管によりフォーカスレンズの可動方向をＺ軸方向へ変更させることができる。調整つまみ１１６５は、他の側面１１０３のうち、天面１１０４に近い部分に設けられるとよい。
【０１２５】
図３３（ａ）（ｃ）のような設置状態であり、投写型映像表示装置１１００を操作するユーザＡ又はユーザＦが調整つまみ１１６５を操作するとき、手もとに近いところに調整つまみ１１６５が設けられているため、操作しやすい。調整つまみ１１６５を操作するとき、投写映像を遮ることなく操作することができる。調整つまみ１１６５が配される面を設置面にする必要がない。
【０１２６】
尚、第２実施形態では、フォーカスレンズを調整するための調整つまみ１１６５を他の側面１１０３に設けたがこれに限るものではなく、ズームレンズを調整するためのつまみを他の側面１１０３に設けてもよい。
【０１２７】
操作性を考慮して、電源ボタン１１６６、メニューボタン１１６７及び方向ボタン１１６８は天面１１０４に設けられる。図３３（ａ）（ｃ）のような設置状態としたとき、底面１１０５、背面１１０７は設置面となるので、底面１１０５、背面１１０７にはインターフェースや吸排気口を設けない方が望ましい。また電源ボタン１１６６、メニューボタン１１６７及び方向ボタン１１６８は操作者が通常操作を行う正面１１０６の方向及び背面１１０７の方向から確認して操作の利便性を損なわないように電源ボタン１１６６、メニューボタン１１６７及び方向ボタン１１６８を配置させる。
【０１２８】
上記実施例では天面１１０４のみに電源ボタン１１６６、メニューボタン１１６７及び方向ボタン１１６８を設けたがそれに限るものではなく、一側面１１０２又は他の側面１１０３に設けてもよく、天面１１０４及び側面（一側面１１０２若しくは他の側面１１０３）の２か所に設けてもよい。
【０１２９】
（操作ボタンの配置）
以下において、第２−１実施形態に係る投写型映像表示装置の操作ボタンの配置について、図面を参照しながら説明する。
【０１３０】
図１７は、投写型映像表示装置１１００の天面１１０４に配された電源ボタン１１６６、メニューボタン１１６７、方向ボタン１１６８（方向ボタン１１６８１〜１１６８４、決定ボタン１１６８５）を示した図である（以下、各ボタンを「操作ボタン」とも記載する）。操作ボタン１１６８は、正面１１０６の方向及び背面１１０７の方向から確認して前後対称に配置される。具体的には、一側面１１０２に近い方から電源ボタン１１６６、メニューボタン１１６７、方向ボタン１１６８（方向ボタン１１６８１〜１１６８４）が配置され、各方向ボタン１１６８１〜１１６８４の中央に決定ボタン１１６８５が配される。また電源ボタン１１６６上に記載される電源を示す記号（図１７では、黒丸記号）は、正面１１０６及び背面１１０７から確認したときに前後対称に記載されていることが好ましい。
【０１３１】
このように、正面１１０６の方向及び背面１１０７の方向から確認して前後対称に配置されることにより、操作ボタンの正面１１０６又は背面１１０７からの距離が等しいため、正面１１０６の方向から操作するときや背面１１０７から操作するときでも操作感が同じでユーザが操作しやすくなる。
【０１３２】
（操作ボタンの配置の変形例）
以下において、操作ボタンの配置の変形例に関して図面を参照しながら説明する。
【０１３３】
図１８は、図１７の操作ボタンの配置と比較して、一側面１１０２に近い方から電源ボタン１１６６、方向ボタン１１６８（方向ボタン１１６８１〜１１６８４、決定ボタン１１６８５）、メニューボタン１１６７、が配置され、各ボタンは、正面１１０６の方向から確認して正しく確認できる方向に配置される点で異なることに留意すべきである。
【０１３４】
具体的には、電源ボタン１１６６上に記載される電源記号や電源ボタン１１６６の近傍に記載される「Ｐｏｗｅｒ」文字、メニューボタン１１６７の近傍に記載される「Ｍｅｎｕ」文字、決定ボタン１１６８５に記載される「ＯＫ」文字、に関しては正面１１０６の方向から確認して正しく確認できる方向に記載される。操作ボタンは、全体として前後左右対称に配置されている。
【０１３５】
このような構成にすることにより、特定の方向（第２実施形態では正面１１０６）から正しく確認できるため、特定の方向から操作することが主であるプロジェクタであれば図１７の操作ボタン配置よりも利便性が高いプロジェクタを供給することができる。
【０１３６】
（スライド部の構成）
以下において、第２−１実施形態に係る投写型映像表示装置のスライド部の構成について、図面を参照しながら説明する。図１９は投写型映像表示装置から映像光を投写するときの内部構成を示す図であり、図２０はスライド部を収納したときの内部構成を示す図である。
【０１３７】
図１９に示すように、投写型映像表示装置１１００は、映像光を投写するときに、投写レンズ群１１１１と非球面ミラー１１１２との間に所定の距離をあける必要がある。この距離（スペース１１８０）は、映像光を投写しないときにはデッドスペースとなる。そこで、図２０に示すように、スライド部１１９０を収納するときには、非球面ミラー１１１２、投写窓１１１３を含むスライド部１１９０がスペース１１８０に収納されるように平行移動する。
【０１３８】
これにより、投写型映像表示装置１１００を使用しないときには、投写型映像表示装置１１００の体積を小さくすることができる。加えて、投写窓１１１３は、正面１１０６と重なり、表面から隠された位置に移動するので、保管中に汚れることを抑制できる。吸気口１１７４は、一側面１１０２と重なり、閉鎖されるので、投写型映像表示装置１１００内部に埃が侵入することを抑制できる。
【０１３９】
［変形例１］
以下において、第２−１実施形態に係るスライド部の一変形例について、図面を参照しながら説明する。図２１は投写型映像表示装置から映像光を投写するときの内部構成を示す図であり、図２２はスライド部を収納したときの内部構成を示す図である。
【０１４０】
図２１に示すように、投写型映像表示装置１１００は、映像光を投写するときに、投写レンズ群１１１１内に配された複数のレンズ間において所定の距離をあける必要がある。この距離（スペース１１８１）は、映像光を投写しないときにはデッドスペースとなる。そこで、図２２に示すように、スライド部１１９０を収納するときには、スライド部１１９０の平行移動に連動して、投写レンズ群１１１１のレンズ間の距離を可及的に狭くする。投写レンズ群１１１１のＺ軸方向の寸法が小さくなることにより、非球面ミラー１１１２、投写窓１１１３を含むスライド部１１９０はスペース１１８１が縮められることにより生じたスペースに収納される。
【０１４１】
［変形例２]
以下において、第２−１実施形態に係るスライド部の他の変形例について、図面を参照しながら説明する。図２３は投写型映像表示装置から映像光を投写するときの内部構成を示す図であり、図２４はスライド部を収納したときの内部構成を示す図である。
【０１４２】
図２３に示すように、変形例２では、ＤＭＤ１１２０及び照明部１１３０の配置を変更し、照明部１１３０は、投写レンズ群１１１１のうち、レンズ径が小さい領域に配する。照明部１１３０の位置が変更されたことに伴い、冷却部１１７０もまたＤＭＤ１１２０及び照明部１１３０の位置に対応する領域に移動させる必要がある。
【０１４３】
変形例２に係る投写型映像表示装置１１００では、映像光を投写するときに、ＤＭＤ１１２０及び照明部１１３０（映像光生成部１１４０相当）とバッテリ部１１５０との間にスペース１１８２が生じる。そこで、図２４に示すように、スライド部１１９０を収納するときには、非球面ミラー１１１２、投写窓１１１３を含むスライド部１１９０とともに、投写レンズ群１１１１、映像光生成部１１４０及び冷却部１１７０がスペース１１８２に収納されるように平行移動する。
【０１４４】
［変形例３］
以下において、第２−１実施形態に係るスライド部の他の変形例について、図面を参照しながら説明する。図２５は投写型映像表示装置から映像光を投写するときの内部構成を示す図であり、図２６はスライド部を収納したときの内部構成を示す図である。
【０１４５】
図２５に示すように、非球面ミラー１１１２は、映像光を投写するときに、投写レンズ群１１１１の光軸に対して、背面１１０７側に傾いて配置されている。そこで、図２６に示すように、スライド部１１９０を収納するときには、スライド部１１９０の平行移動に連動して、非球面ミラー１１１２の一端を中心軸として非球面ミラー１１１２を回動させる。非球面ミラー１１１２が回動することに伴って、投写型映像表示装置１１００のＺ軸方向の寸法が小さくなり、投写窓１１１３を含むスライド部１１９０がスペース１１８３に収納される。
【０１４６】
［その他の変形例］
上記の例以外にも、冷却部１１７０を照明部１１３０（映像光生成部１１４０）の下方へ配置して、冷却部１１７０と照明部１１３０の間にスペースを設けてもよい。この場合、投写部１１１０及び映像光生成部１１４０を含むスライド部１１９０がこのスペースに収納される。
【０１４７】
プリズムブロック１１２１を用いず、投写レンズ群１１１１の光軸に対して垂直となるようにＤＭＤ１１２０を配置して、投写レンズ群１１１１とＤＭＤ１１２０との間にスペースを設けてもよい。この場合、投写部１１１０がこのスペースに収納される。
【０１４８】
（作用・効果）
第２−１実施形態では、投写型映像表示装置１１００は、映像光を生成する映像光生成部１１４０と、映像光生成部から出射された映像光を投写面側へ反射する非球面ミラー１１１２と、を備えるものである。投写型映像表示装置１１００は、映像光生成部１１４０へ電力を供給するバッテリ部１１５０を備え、バッテリ部１１５０は、非球面ミラー１１１２と可及的に離れた位置、具体的には、非球面ミラー１１１２が最上部に設けられ、バッテリ部１１５０が最下部に設けられる。従って、重量のある非球面ミラー１１１２とバッテリ部１１５０とが離れた位置に設けられるので、装置全体の重量バランスを平衡に保つことができる。
【０１４９】
また、第２−１実施形態では、投写型映像表示装置１１００は、映像光を生成する映像光生成部１１４０と、映像光生成部１１４０を収納する筐体１１０１と、筐体１１０１に設けられ映像光生成部１１４０から出射された映像光が透過する投写窓１１１３とを備えるものである。筐体１１０１は、Ｚ軸方向の寸法が変化するスライド部１１９０を有する。投写窓１１１３は、映像光を投写しないとき、スライド部１１９０によって筐体１１０１内部に収納される。従って、投写窓１１１３にキズや汚れがつくことを抑制できる。
【０１５０】
[第２−２実施形態]
以下において、第２−２実施形態に係る投写型映像表示装置の構成ついて、図面を参照しながら説明する。なお、第２−２実施形態において、第２−１実施形態と重複するところは、説明を省略する。図２７は、第２−２実施形態に係る投写型映像表示装置の構成を示す図である。図２７(a)は投写型映像表示装置が映像を投写しない状態の正面図と両方の側面図を示す図である。図２７(b)は投写型映像表示装置が映像を投写できる状態の正面図と両方の側面図を示す図である。
【０１５１】
図２７のように、投写型映像表示装置１１００は、天面１１０４、一側面１１０２、及び他の側面１１０３を一体としたコ字状の筺体をスライドさせることにより、投写窓１１１３と共に電源コネクタ１１５３、映像コネクタ１１６１、ＳＤカードのスロット１１６３、ＵＳＢコネクタ１１６４、調整つまみ１１６５、排気口１１７１、吸気口１１７４を同時に露出させることが第２−１実施形態と大きく異なることに留意すべきである。
【０１５２】
第２実施形態では、一側面１１０２の中央付近に吸気口１１７４と等しい大きさの孔１１７４Ｈが設けられている。天面１１０４、一側面１１０２、及び他の側面１１０３を一体としたコ字状の筺体を天面１１０４方向へスライドさせ、図示しないストッパによりスライドが抑制されると、孔１１７４Ｈが吸気口１１７４と重なり、一側面１１０２の内部に配される吸気口１１７４が露出する。
【０１５３】
また、一側面１１０２が天面１１０４方向へスライドされると、一側面１１０２の内部に配される電源コネクタ１１５３、映像コネクタ１１６１、ＳＤカードのスロット１１６３、ＵＳＢコネクタ１１６４が露出する。
【０１５４】
他の側面１１０３の中央付近に調整つまみ１１６５と等しい大きさの孔１１６５Ｈが設けられている。天面１１０４、一側面１１０２、及び他の側面１１０３を一体としたコ字状の筺体を天面１１０４方向へスライドさせ、図示しないストッパによりスライドが止められる、孔１１６５Ｈが調整つまみ１１６５と重なり、他の側面１１０３の内部に配される調整つまみ１１６５が露出する。
【０１５５】
また、他の側面１１０３が天面１１０４方向へスライドされると、他の側面１１０３の内部に配される排気口１１７１が露出する。
【０１５６】
尚、第２−２実施形態では、天面１１０４、一側面１１０２、及び他の側面１１０３を一体としたコ字状の筺体をスライドさせることにより、投写窓１１１３と共に電源コネクタ１１５３、映像コネクタ１１６１、ＳＤカードのスロット１１６３、ＵＳＢコネクタ１１６４、調整つまみ１１６５、排気口１１７１、吸気口１１７４を同時に露出させる構成を示したが天面１１０４、一側面１１０２、及び他の側面１１０３を一体としたコ字状の筺体により一度に開閉を行わなくてもスライド型のカバーを個別に設けてもよい。もちろんスライド型に限らず、開戸、折戸型のカバーでもよい。
【０１５７】
（作用・効果）
第２−２実施形態では、未使用時にカバーでコネクタ類を保護することができるため、例え投写型映像表示装置に強い衝撃が加わったとしてもコネクタ類を破損から防ぐことができる。また、未使用時にカバーがあることでコネクタ類の防塵対策にも有効である。
【０１５８】
また未使用時にカバーでつまみを保護することができるため、投写型映像表示装置の運搬時につまみに接触するような場面でも、前回投写したフォーカス位置を保持することができ、再度フォーカス調整をやり直すことがなくなる。また、つまみと筺体の隙間から塵が侵入し、投写型映像表示装置の内部に塵が侵入することを防止することができる。
【０１５９】
また、未使用時にカバーで吸気口及び排気口を保護することができるため、投写型映像表示装置の内部に塵が侵入することを防止することができる。
【０１６０】
［第２−３実施形態]
以下において、第２−３実施形態に係る投写型映像表示装置の構成について、図面を参照しながら説明する。なお、第２−３実施形態において、第２−１実施形態及び第２−２実施形態と重複するところは、説明を省略する。図２８は、第２−３実施形態に係る投写型映像表示装置の構成を示す正面図である。
【０１６１】
図２８に示すように、投写型映像表示装置１２００は、映像光生成部１２４０の構成、冷却部１２７０の配置が第２−１実施形態と大きく異なることに留意すべきである。また、第２実施形態では、底面１２０５を設置面（水平面）とし、床や机などの水平面に映像光を投写する状態を床面投写モード、背面１２０７を設置面（水平面）とし、スクリーンや壁などの鉛直面に映像光を投写する状態を壁面投写モードと称する。
【０１６２】
第２実施形態では、赤、緑、青の光を出射するＬＥＤ１２３１Ｒ、１２３１Ｇ、１２３１Ｂ、ダイクロイックプリズム１２３２及びテーパロッド１２３３は、投写レンズ群１２１１よりも背面１２０７側に配される。図２８では、これらの光学部材は投写レンズ群１２１１によって隠された位置となる。テーパロッド１２３３から出射した光は、レンズ１２３４、１２３５、１２３６及びミラー１２３７、１２３８によって、合成光の光路をスペースに合わせて折り曲げられ、ＤＭＤ１２２０に結像する。
【０１６３】
ＤＭＤ１２２０は、投写レンズ群１２１１の光軸に対して垂直となるように配される。従って、第２−３実施形態では、プリズムブロックは不要となる。ＤＭＤ１２２０には、照明部１２３０の各光学部材によって、投写レンズ群１２１１の光軸に対して鋭角な方向から導かれた合成光が照射される。ＤＭＤ１２２０はこの合成光のうち、映像入力信号に応じて変調された映像光を投写レンズ群１２１１へ向けて反射する。ＤＭＤ１２２０の近傍には、ＤＭＤ１２２０を制御するＤＭＤ制御回路１２２２が配される。第２−３実施形態では、ＤＭＤ制御回路１２２２はＤＭＤ１２２０の裏面側に配される。
【０１６４】
ＬＥＤ１２３１近傍には、ＬＥＤ１２３１を制御するＬＥＤ制御回路１２３９が配される第２−３実施形態では、ＬＥＤ制御回路１２３９は、投写レンズ群１２１１の外玉レンズの背面１２０７側に配される。これにより、ＬＥＤ制御回路１２３９は、ＬＥＤ１２３１近傍に配されるとともに、ＤＭＤ制御回路１２２２とは可及的に離して配することができる。
【０１６５】
制御部１２６０の制御回路１２６８は、傾斜センサ１２６９を有する。傾斜センサ１２６９は、検出した傾きに関する情報を制御回路１２６８へ送信する。制御回路１２６８は、受信した情報から、ユーザが投写型映像表示装置１２００を、底面１２０５を設置面とする床面投写モードで利用するか、背面１２０７を設置面とする壁面投写モードで利用するかを判別する。制御回路１２６８は、判別した投写モードに応じて、ＤＭＤ制御回路１２２２へ制御信号を送る。詳細は後述するが、ＤＭＤ制御回路１２２２は、投写モードに関する制御信号に応じて、ＤＭＤ１２２０の有効領域の大きさやアスペクト比、投写画像の上下・左右の方向を制御する。
【０１６６】
投写レンズ群１２１１の、他の側面１２０３側の領域には、冷却部１２７０が配される。第２−３実施形態では、ＬＥＤ１２３１を冷却するシロッコファン１２７３のほか、ＤＭＤ１２２０を冷却するシロッコファン１２７５及びヒートシンク１２７６が配される。
【０１６７】
（投写モードの切替機能）
以下において、第２−３実施形態に係る投写型映像表示装置の投写モードの切替機能について、図面を参照しながら説明する。図２９は第２−３実施形態に係る投写型映像表示装置の投写モードを示す図であって、図２９（ａ）は床面投写モード、図２９（ｂ）は壁面投写モードである。
【０１６８】
投写型映像表示装置１２００は、映像光を投写するときに、傾斜センサ１２６９によって検出した傾きに関する情報に基づいて設置面を判別する。図２９（ａ）に示すように、設置面が底面１２０５であるときは、ユーザ（観察者）は、投写画像を遠方側（Ｆａｒ側）から観察する場合が多いので、投写型映像表示装置１２００は、投写画像の向きをＦａｒ側が下となるように投写する。詳細には、傾斜センサ１２６９が、底面１２０５が設置面であると判別したとき、制御回路１２６８は、Ｆａｒ側が下となるようにＤＭＤ制御回路１２２２へ制御信号を送る。
【０１６９】
一方、図２９（ｂ）に示すように、設置面が背面１２０７であるときは、ユーザ（観察者）は、投写画像の近接側（Ｎｅａｒ側）を下として観察するので、投写型映像表示装置１２００は、投写画像の向きをＮｅａｒ側が下となるように投写する。詳細には、傾斜センサ１２６９が、背面１２０７が設置面であると判別したとき、制御回路１２６８は、Ｎｅａｒ側が下となるようにＤＭＤ制御回路１２２２へ制御信号を送る。
【０１７０】
これにより、投写型映像表示装置１２００を置くだけで、投写画像が適切な向きで投写されるので、ユーザの利便性が向上する。
【０１７１】
［変形例１］
以下において、第２−３実施形態に係る投写モードの切替機能の一変形例について、図面を参照しながら説明する。図３０は変形例１に係る投写型映像表示装置の投写モードを示す図であって、図３０（ａ）は床面投写モード、図３０（ｂ）は壁面投写モードである。変形例１においても、投写型映像表示装置１２００は、映像光を投写するときに、傾斜センサ１２６９によって検出した傾きに関する情報に基づいて設置面を判別する。
【０１７２】
図３０（ａ）に示すように、設置面が底面１２０５であるときは、複数のユーザ（観察者）が、投写画像を挟んで対峙して観察する場合があるので、投写型映像表示装置１２００は、投写画像のアスペクト比を縦長となるように投写する。具体的には、制御回路１２６８は、Ｈ：Ｖが３：４となるようにＤＭＤ制御回路１２２２へ制御信号を送る。
【０１７３】
一方、図３０（ｂ）に示すように、設置面が背面１２０７であるときは、ユーザ（観察者）は、投写画像に対して正面から観察するので、投写型映像表示装置１２００は、投写画像のアスペクト比を横長となるように投写する。具体的には、制御回路１２６８は、Ｈ：Ｖが４：３となるようにＤＭＤ制御回路１２２２へ制御信号を送る。
【０１７４】
［変形例２]
以下において、第２−３実施形態に係る投写モードの切替機能の他の変形例について、図面を参照しながら説明する。図３１は変形例２に係る投写型映像表示装置の床面投写モードを示す図であって、図３１（ａ）は通常の床面投写モード（以下、通常モードと称する。）、図３１（ｂ）は投写画像の面積を大きくした床面投写モード（以下、拡大モードと称する。）である。
【０１７５】
変形例２において、投写型映像表示装置１２００は、底面１２０５に脚部１２０８と、脚部１２０８の長さを検出する脚部センサ１２０８ｓとを有する。投写型映像表示装置１２００は、映像光を投写するときに、脚部センサ１２０８ｓによって検出した脚部１２０８の長さに関する情報に基づいて投写距離を推定する。また、通常モードでは、投写画像の面積がＳである領域に対し、投写画像の輝度がＬとなるように投写するために必要なＬＥＤ１２３１の光量をＥとする。
【０１７６】
図３１（ｂ）に示すように、底面１２０５から脚部１２０８を延伸し、投写窓１２１３から設置面までの距離（投写距離）を長くすると、拡大モードの投写画像の面積Ｓ’は、通常モードの面積Ｓよりも大きくなる（Ｓ’＞Ｓ）。このとき、ＬＥＤ１２３１の光量がＥであると、拡大モードの投写画像の輝度が、通常モードの輝度Ｌに比べて低下してしまう。
【０１７７】
そこで、脚部センサ１２０８ｓからの情報により、拡大モードであると推定されたとき、制御回路１２６８は、ＬＥＤ１２３１の光量がＥ’（＞Ｅ）となるようにＬＥＤ駆動回路１２３９へ制御信号を送る。これにより、通常モードのときの輝度Ｌと拡大モードのときの輝度Ｌ’とが、略同じ輝度となる（Ｌ≒Ｌ’）。
【０１７８】
［変形例３］
以下において、第２−３実施形態に係る投写モードの切替機能のさらに他の変形例について、図面を参照しながら説明する。図３２は変形例３に係る投写型映像表示装置の床面投写モードを示す図である。変形例３では、変形例２との相違点についてのみ説明する。
【０１７９】
変形例３において、投写型映像表示装置１２００は、上部に首部１２０９と、首部１２０９の長さを検出する首部センサ１２０９ｓとを有する。首部１２０９の上部には非球面ミラー１２１２が配され、首部１２０９を伸縮することにより、投写レンズ群１２１１と非球面ミラー１２１２との距離が調整される。投写型映像表示装置１２００は、映像光を投写するときに、脚部センサ１２０９ｓによって検出した首部１２０９の長さに関する情報に基づいて、投写距離及び投写レンズ群１２１１と非球面ミラー１２１２との距離を推定する。
【０１８０】
天面１２０４には、首部１２０９を引っ張るハンドル部１２０４ｈが設けられる。さらにハンドル部１２０４ｈにボタン（不図示）を設け、ボタンを押下したときに、首部１２０９を延伸することができるように設定してもよい。ボタンを押下していないときには、首部１２０９が延伸しないため、ハンドル部１２０４ｈは、投写型映像表示装置１２００を持ち運ぶときにも有用である。
【０１８１】
［変形例４］
以下において、第２実施形態に係る調整つまみの配置の変形例について、図面を参照しながら説明する。変形例４では、第２実施形態との相違点についてのみ説明する。
【０１８２】
第１に、図３４及び図３５を参照しながら、調整つまみ１１６５の配置位置について説明する。図３４は、変形例４に係る投写型映像表示装置の床面投写モードを示す図である。図３５は、変形例４に係る投写型映像表示装置の側面視を示す図である。
【０１８３】
図３４に示すように、調整つまみ１１６５は、筐体１１０１の正面１１０６に配される。具体的には、図３５に示すように、調整つまみ１１６５は、投写窓１１１３から出射される映像光を遮光しないように、正面１１０６のうち、領域Ｘに配置されることが好ましい。領域Ｘの上端Ｘ１は、投写窓１１１３から出射される映像光を調整つまみ１１６５が遮光しない領域の上端である。領域Ｘの下端Ｘ１は、調整つまみ１１６５によって投写レンズ群１１１１を調整可能な領域の下端である。
【０１８４】
第２に、図３６及び図３７を参照しながら、冷却風の流れについて説明する。図３６は、変形例４に係る投写型映像表示装置の内部構造を示す図である。図３７は、変形例４に係る投写型映像表示装置の右側面視（ＲＩＧＨＴ）、正面視（ＦＲＯＮＴ）及び左側面視（ＬＥＦＴ）を示す図である。
【０１８５】
図３６に示すように、投写型映像表示装置１１００の内部構造は、第２実施形態と異なっていることに留意すべきである。具体的には、投写型映像表示装置１１００は、ヒートパイプ１５３１Ｇ、ヒートパイプ１５３１Ｂ及び放熱部１５３３ＢＧを有する。
【０１８６】
ヒートパイプ１５３１Ｇは、高熱伝導率を有する部材（銅など）によって構成される。ヒートパイプ１５３１Ｇの一端は、放熱部１５３３ＢＧに接続される。ヒートパイプ１５３１Ｇの他端は、ＬＥＤ１１３１Ｇから熱を受け取る受熱部１５３２Ｇに接続される。
【０１８７】
同様に、ヒートパイプ１５３１Ｂは、高熱伝導率を有する部材（銅など）によって構成される。ヒートパイプ１５３１Ｂの一端は、放熱部１５３３ＢＧに接続される。ヒートパイプ１５３１Ｂの他端は、ＬＥＤ１１３１Ｂから熱を受け取る受熱部１５３２Ｂに接続される。
【０１８８】
放熱部１５３３ＢＧは、ヒートシンクなどによって構成される。上述したように、放熱部１５３３ＢＧがヒートパイプ１５３１Ｇ及びヒートパイプ１５３１Ｂに接続されているため、放熱部１５３３ＢＧの配置の自由度が増大することに留意すべきである。なお、変形例４では、放熱部１５３３ＢＧは、非球面ミラー１１１２の側方に配置されている。
【０１８９】
ここで、変形例４では、投写型映像表示装置１１００は、軸流ファン１１７２として、軸流ファン１１７２Ａ及び軸流ファン１１７２Ｂを有する。
【０１９０】
軸流ファン１１７２Ａは、上述した放熱部１５３３ＢＧを冷却する冷却風を生成する。具体的には、軸流ファン１１７２Ａは、図３７のＲＩＧＨＴに示す吸気口１１７４Ａから吸気される空気が図３７のＬＥＦＴに示す排気口１１７１Ａから排気されるように、冷却風を循環させる。ここでは、軸流ファン１１７２Ａによって生成される冷却風は、投写窓１１１３を被覆する透明板１１１３Ｘによって放熱部１５３３ＢＧ側に導かれる。
【０１９１】
軸流ファン１１７２Ｂは、ＬＥＤ１１３１ＲやＤＭＤ１１２０を冷却する冷却風を生成する。具体的には、軸流ファン１１７２Ｂは、図３７のＬＥＦＴに示す吸気口１１７４Ｂから吸気される空気が図３７のＬＥＦＴに示す排気口１１７１Ｂから排気されるように、冷却風を循環させる。ここでは、軸流ファン１１７２Ｂによって生成される冷却風は、発熱量が大きいＬＥＤ１１３１Ｒに導かれた後に、発熱量が小さいＤＭＤ１１２０に導かれる。
【０１９２】
なお、冷却風の流路は、ダクトなどによって覆われていることが好ましい。但し、光を遮光してしまうようなケースでは、ダクトは必須の構成ではない。
【０１９３】
また、図３６に示すように、調整つまみ１１６５は、投写レンズ群１１１１の外周に沿った円弧状形状を有しており、投写レンズ群１１１１の外周に沿って配置される。従って、調整つまみ１１６５の回動に伴って、投写レンズ群１１１１に設けられるフォーカスレンズを上下方向（Ｚ軸方向）に移動することが可能である。
【０１９４】
（作用）
変形例４では、調整つまみ１１６５が正面１１０６に配されるため、カム機構などを必要とせずに簡易な構成で、調整つまみ１１６５を筐体１１０１の外部に露出させることができる。
【０１９５】
［その他の変形例］
上記の例以外にも、投写型映像表示装置１２００は、照度センサを備えていてもよい。照度センサにより、投写型映像表示装置１２００の使用環境の明るさを推定することが可能となる。使用環境及び投写画像の面積Ｓに応じて、光源（ＬＥＤ１２３１）の光量Ｅを制御することにより、投写型映像表示装置１２００の低消費電力運転を実現することができるほか、ユーザに対して目に優しい画像を提供できる。
【０１９６】
また、上記の例は組み合わせも可能である。例えば、横長の投写画像を縦長の投写画像へ切り替るとき、脚部１２０８の調整をして投写画面の面積Ｓを大きくするとよい。縦長に画像を投写する場合、ＤＭＤ制御回路１２２２での信号処理によって、ＤＭＤ１２２０の有効表示領域の変形を行う。これにより、ＤＭＤ１２２０の有効表示領域が小さくなり、投写画面の面積Ｓが小さくなる。そこで、脚部１２０８を延伸して投写距離を長くすることで、面積Ｓを維持することが可能となる。
【０１９７】
（作用・効果）
第２−３実施形態では、投写型映像表示装置１２００は、映像光を生成する映像光生成部１２４０と、映像光生成部１２４０から出射された映像光を投写面側へ反射する非球面ミラー１２１２と、を備えるものである。投写型映像表示装置１２００は、映像光生成部１２４０へ電力を供給するバッテリ部１２５０を備え、バッテリ部１２５０は、非球面ミラー１２１２と可及的に離れた位置に設けられる。
【０１９８】
また、映像光生成部１２４０を冷却する冷却部１２７０をさらに備え、冷却部１２７０のうち、具体的には軸流ファン１２７２、シロッコファン１２７５、ヒートシンク１２７６、シロッコファン１２７７もまた、非球面ミラー１２１２と可及的に離れた底面１２０５に近い位置に設けられるとよい。これにより、非球面ミラー１２１２やバッテリ部１２５０についで、重量のある冷却部１２７０が非球面ミラー１２１２と離れた位置に設けられるので、装置全体の重量バランスを平衡に保つことができる。また、バッテリ部１２５０と冷却部１２７０とが近接して、底面に近い位置に設けられるので、底面の面積が小さくても安定して設置することができる。
【０１９９】
また、第２−３実施形態では、投写型映像表示装置１２００は、投写面に対する自装置の状態を検出する傾斜センサ１２６９や、脚部センサ１２０８ｓ、首部センサ１２０９ｓと、検出された状態に応じて、映像光の状態を制御する制御部１２６０とを備えるものである。従って、投写型映像表示装置１２００が自装置の状態、具体的には設置面や投写距離を判断し、ユーザにとって最も観察しやすいと考えられる状態（向きや明るさなど）で映像を投写するので、ユーザに高い利便性を与えることができる。
【０２００】
［第３実施形態の概要］
（課題）
複数枚のミラーを用いたり、投写レンズ群と凹面または凸面ミラーなどを組み合わせたりすることで、投写光学系が体積的にも重量的にも増加してしまうと、壁面などの鉛直面に投写する場合は問題ないが、机上に置いて机上に投写する場合、プロジェクタの頭部が重くなり、投写型映像表示装置のバランスが悪くなる。
【０２０１】
（構成）
第３実施形態に係る投写型映像表示装置は、映像光を生成する映像光生成部と、映像光生成部から出射された映像光を投写面側へ反射するミラー（非球面ミラー）と、を備える。そして、映像光生成部へ電力を供給する電力供給部（バッテリ部）を備え、この電力供給部は、ミラーと可及的に離れた位置、具体的には、ミラーが最上部に設けられる場合、電力供給部が最下部に設けられる。また、映像光生成部を冷却する冷却部をさらに備えており、この冷却部もまた、ミラーと可及的に離れた位置、具体的には、電力供給部の少し上方に設けられる。
【０２０２】
さらに、第３実施形態に係る投写型映像表示装置は、少なくとも映像光生成部を収納する筐体と、筐体の上部に設けられた透過領域（投写窓）とを備え、透過領域を通って映像光を投写する。この筐体は、少なくとも一方向の寸法（Ｚ軸方向）が変化する可動部（スライド部）を有しており、映像光を投写しないとき、透過領域は、可動部によって筐体内部に収納され、隠された位置に移動する。
【０２０３】
さらに、第３実施形態に係る投写型映像表示装置は、投写面に対する自装置の状態を検出する検出手段（傾斜センサなど）と、検出された状態に応じて、映像光の状態を制御する制御手段（制御部）と、を備えるものである。
【０２０４】
［第３−１実施形態］
（投写型映像表示装置の構成）
以下において、第３−１実施形態に係る投写型映像表示装置の構成について、図面を参照しながら説明する。図３８は、第３−１実施形態に係る投写型映像表示装置の構成を示す正面図であり、図３９は側面図である。
【０２０５】
図３８に示すように、投写型映像表示装置２１００は、投写レンズ群２１１１と非球面ミラー２１１２とから構成される投写部１１０と、光変調素子としてのＤＭＤ（Ｄｉｇｉｔａｌ  Ｍｉｃｒｏｍｉｒｒｏｒ  Ｄｅｖｉｃｅ）２１２０と、ＤＭＤ２１２０へ光を照射する照明部２１３０と、ＤＭＤ２１２０や照明部２１３０を構成するＬＥＤ（Ｌｉｇｈｔ  Ｅｍｉｔｔｅｄ  Ｄｅｖｉｃｅ）２１３１などへ電力を供給するバッテリ部２１５０とを有する。
【０２０６】
第３実施形態では、投写型映像表示装置２１００は、バッテリ部２１５０が下部となるように設置するものとする。投写型映像表示装置２１００が設置される面（水平面）をＸＹ平面とし、設置面に対し垂直な方向（鉛直方向）をＺ軸方向と定義する。Ｘ軸方向は投写型映像表示装置２１００の筐体２１０１における幅方向に相当する方向、Ｙ軸方向は筐体２１０１における奥行方向に相当する方向と定義する。
【０２０７】
筐体２１０１は、図３８において、右側面となる一側面２１０２、左側面となる他の側面２１０３、上面となる天面２１０４および下面となる底面２１０５を有する。また、筐体２１０１は、図３９における映像光が出射する側の面となる正面２１０６、正面２１０６の裏面となる背面２１０７を有する。
【０２０８】
投写部１１０は、複数のレンズから構成される投写レンズ群２１１１と凹面の非球面ミラーから構成される非球面ミラー２１１２と映像光が出射する投写窓２１１３（図３９参照）とを有する。投写レンズ群２１１１は、ＤＭＤ２１２０にて変調された映像光をＺ軸方向へ出射する。非球面ミラー２１１２は、投写レンズ群２１１１の上方に設けられており、投写レンズ群２１１１からの映像光を下方に向けて反射する。非球面ミラー２１１２は凹面ミラーであるので、映像光は集光した後、拡大投写される。投写窓２１１３は、映像光が集光する位置の近傍に設けられる。映像光は、投写レンズ群２１１１と非球面ミラー２１１２との間で結像し、投写型映像表示装置２１００の設置面（図中のＸＹ平面）にて、再度、結像する。
【０２０９】
ＤＭＤ２１２０は、照明部２１３０から時分割で照射される青、緑、赤の照明光を、映像入力信号に応じて変調する。ＤＭＤ２１２０は、映像光を投写レンズ群２１１１へ導くプリズムブロック２１２１と一体的に設けられる。プリズムブロック２１２１は、照明部２１３０からの照明光を透過するとともに、ＤＭＤ２１２０にて変調した映像光を全反射して、投写レンズ群２１１１へ導く面２１２１ａを有する。ＤＭＤ２１２０の近傍には、ＤＭＤ２１２０を制御するＤＭＤ制御回路２１２２が配される。ＤＭＤ制御回路２１２２は、映像入力信号およびＬＥＤ制御信号に応じてＤＭＤ２１２０を制御する。
【０２１０】
照明部２１３０は、赤、緑、青の光を出射するＬＥＤ２１３１Ｒ、２１３１Ｇ、２１３１Ｂと、赤、緑、青の光を合成してＤＭＤ２１２０へ照射する複数の光学部材を有する。第３実施形態では、赤、緑、青の光を合成する光学部材として、ダイクロイックプリズム２１３２を用いる。ダイクロイックプリズム２１３２にて合成された合成光は、テーパロッド２１３３を用いて光量分布を均一化する。テーパロッド２１３３後段のレンズ２１３４、２１３５、２１３６には、テーパロッド２１３３から出射した光を平行光化するとともにＤＭＤ２１２０に結像させる作用を有する。ミラー２１３７、２１３８には、合成光の光路をスペースに合わせて折り曲げる作用を有する。
【０２１１】
ＬＥＤ２１３１近傍には、ＬＥＤ２１３１を制御するＬＥＤ制御回路２１３９が配される。ＬＥＤ制御回路２１３９は、映像入力信号に応じてＬＥＤ２１３１Ｒ、２１３１Ｇ、２１３１Ｂの発光量および発光タイミングを制御する。また、ＬＥＤ制御回路２１３９は、発光量および発光タイミングに関するＬＥＤ制御信号をＤＭＤ制御回路２１２２へ送る。ＬＥＤ制御回路２１３９は、配線を短くするため、ＬＥＤ２１３１近傍に配することが望ましい。一方、電磁波の影響を考慮して、ＤＭＤ制御回路２１２２とは可及的に離して配置することも望まれる。
【０２１２】
ＤＭＤ２１２０と照明部２１３０とを併せて映像生成部２１４０と称する。
【０２１３】
バッテリ部２１５０は、ニッケル水素２次電池から構成されるバッテリ２１５１と、バッテリ２１５１の充放電を制御するバッテリ制御回路２１５２と、商用電源と接続される電源コネクタ２１５３とを有する。バッテリ２１５１は、Ｚ軸方向の寸法に対し、Ｘ軸方向またはＹ軸方向の寸法が十分に大きい（２倍以上）形状を有する。バッテリ制御回路２１５２は、商用電源から電源コネクタ２１５３を介してバッテリ２１５１へ供給される電力を制御するとともに、バッテリ２１５１から映像生成部２１４０（特に、ＬＥＤ２１３１やＤＭＤ２１２０）へ供給される電力を制御する。バッテリとしては、ニッケル水素２次電池以外にも、リチウムイオン２次電池でもキャパシタでもよい。
【０２１４】
制御部２１６０は、大別して、ＤＭＤ制御回路２１２２、ＬＥＤ制御回路２１３９および投写型映像表示装置２１００全体を制御する制御回路２１６８を含む。具体的には、投写部１１０（特に、投写レンズ群２１１１）の一側面２１０２側の領域に、制御回路２１６８が配されており、制御回路２１６８は、映像入力信号などに応じて、ＤＭＤ制御回路２１２２およびＬＥＤ制御回路２１３９へ制御信号を送る。詳細は後述するが、映像入力信号は、制御回路２１６８と接続された映像コネクタ２１６１、２１６２、ＳＤカードのスロット２１６３、ＵＳＢコネクタ２１６４、ＬＡＮコネクタ２１６５から入力される。制御回路２１６８は、電源スイッチ２１６６および操作ボタン２１６７にも接続される。制御回路２１６８は、電源スイッチ２１６６や操作ボタン２１６７からのユーザ指示に応じて、投写型映像表示装置２１００全体を制御する。
【０２１５】
投写レンズ群２１１１の、他の側面２１０３側の領域には、冷却部２１７０が配される。具体的には、排気口２１７１近傍に設けられた軸流ファン２１７２、ＬＥＤ２１３１を冷却するシロッコファン２１７３およびＤＭＤ２１２０を冷却するヒートシンク（不図示）が配される。投写型映像表示装置２１００を冷却する空気は、一側面２１０２上部に設けられた吸気口２１７４から供給され、投写型映像表示装置２１００内部を流通して制御部２１６０、映像生成部２１４０を冷却した後、他の側面２１０３下部に設けられた排気口２１７１から排気される。
【０２１６】
筐体２１０１の対角となる位置に吸気口２１７４および排気口２１７１を設けることにより、効率よく投写型映像表示装置２１００を冷却することができる。また、吸気口２１７４および排気口２１７１は、それぞれ一側面２１０２および他の側面２１０３に設けられているので、背面２１０７が設置面となる場合でも、吸排気口が塞がれることはない。吸気口２１７４は、後述するスライド部により、投写型映像表示装置２１００を使用しないときには閉鎖される。この構成により、保管中に、投写型映像表示装置２１００内部に埃などが侵入することを防止することができる。なお、シロッコファン２１７３は、吸気口２１７４とは別の吸気口を設けるとよい。
【０２１７】
（投写型映像表示装置の外部構成）
以下において、第３−１実施形態に係る投写型映像表示装置の外部構成について、図面を参照しながら説明する。図４０は第３−１実施形態に係る投写型映像表示装置の外部構成を示す図であって、図４０（ａ）は左斜視図、図４０（ｂ）は右斜視図である。
【０２１８】
筐体２１０１は、投写窓２１１３が配され、映像光が出射する側の面である正面２１０６、正面２１０６と対向する位置に配された背面２１０７を有する。また、筐体２１０１は、投写型映像表示装置２１００が机上または床面に映像光を投写するように設置したときに、上面となる天面２１０４、天面２１０４と対向する位置に配された底面２１０５を有する。略直方体形状を有する投写型映像表示装置２１００において、残る２面において、上述した電源コネクタ２１５３を配した面を一側面２１０２、一側面２１０２と対向する位置に配された面を他の側面２１０３とする。
【０２１９】
一側面２１０２には、電源コネクタ２１５３のほか、ＰＣ（Ｐａｒｓｏｎａｌ  Ｃｏｍｐｕｔｅｒ）などの映像ソースと接続される映像コネクタ２１６１、２１６２、ＳＤカードのスロット２１６３、ＵＳＢコネクタ２１６４ａ、２１６４ｂ、ＬＡＮコネクタ２１６５などが設けられる。これらのコネクタ類は、一側面２１０２のうち、底面２１０５に近い部分に設けられるとよい。一側面２１０２は、後述するスライド部により、保管するときには、内部に収納される重畳部２１０２ａを有する。一側面２１０２に配された吸気口２１７４は、スライド部２１９０が収納されたときにスライド部２１９０の一側面２１９２と重畳する位置に設けられるとよい。
【０２２０】
他の側面２１０３には排気口２１７１が設けられる。上述のように、吸気口２１７４は、重畳部２１０２ａが収納されたときに一側面２１０２と重畳する位置、具体的には、一側面２１０２のうち、天面２１０４に近い位置に設けられるので、排気口２１７１は、他の側面２１０３のうち、底面２１０５に近い部分に設けられるとよい。
【０２２１】
操作性を考慮して、電源スイッチ２１６６および操作ボタン２１６７は天面２１０４に設けられる。底面２１０５、背面２１０７は設置面となるので、インターフェースや吸排気口を設けない方が望ましい。
【０２２２】
（スライド部の構成）
以下において、第３−１実施形態に係る投写型映像表示装置のスライド部の構成について、図面を参照しながら説明する。図４１は投写型映像表示装置から映像光を投写するときの内部構成を示す図であり、図４２はスライド部を収納したときの内部構成を示す図である。
【０２２３】
図４１に示すように、投写型映像表示装置２１００は、映像光を投写するときに、投写レンズ群２１１１と非球面ミラー２１１２との間に所定の距離をあける必要がある。この距離（スペース２１８０）は、映像光を投写しないときにはデッドスペースとなる。そこで、図４２に示すように、スライド部２１９０を収納するときには、非球面ミラー２１１２、投写窓２１１３を含むスライド部２１９０がスペース２１８０に収納されるように平行移動する。
【０２２４】
これにより、投写型映像表示装置２１００を使用しないときには、投写型映像表示装置２１００の体積を小さくすることができる。加えて、投写窓２１１３は、正面２１０６と重なり、表面から隠された位置に移動するので、保管中に汚れることを抑制できる。吸気口２１７４は、一側面２１０２と重なり、閉鎖されるので、投写型映像表示装置２１００内部に埃が侵入することを抑制できる。
【０２２５】
［変形例１］
以下において、第３−１実施形態に係るスライド部の一変形例について、図面を参照しながら説明する。図４３は投写型映像表示装置から映像光を投写するときの内部構成を示す図であり、図４４はスライド部を収納したときの内部構成を示す図である。
【０２２６】
図４３に示すように、投写型映像表示装置２１００は、映像光を投写するときに、投写レンズ群２１１１内に配された複数のレンズ間において所定の距離をあける必要がある。この距離（スペース２１８１）は、映像光を投写しないときにはデッドスペースとなる。そこで、図４４に示すように、スライド部２１９０を収納するときには、スライド部２１９０の平行移動に連動して、投写レンズ群２１１１のレンズ間の距離を可及的に狭くする。投写レンズ群２１１１のＺ軸方向の寸法が小さくなることにより、非球面ミラー２１１２、投写窓２１１３を含むスライド部２１９０がスペース２１８１に収納される。
【０２２７】
［変形例２］
以下において、第３−１実施形態に係るスライド部の他の変形例について、図面を参照しながら説明する。図４５は投写型映像表示装置から映像光を投写するときの内部構成を示す図であり、図４６はスライド部を収納したときの内部構成を示す図である。
【０２２８】
図４５に示すように、変形例２では、ＤＭＤ２１２０および照明部２１３０の配置を変更し、照明部２１３０は、投写レンズ群２１１１のうち、レンズ径が小さい領域に配する。照明部２１３０の位置が変更されたことに伴い、冷却部２１７０もまたＤＭＤ２１２０および照明部２１３０の位置に対応する領域に移動させる必要がある。
【０２２９】
変形例２に係る投写型映像表示装置２１００では、映像光を投写するときに、ＤＭＤ２１２０および照明部２１３０（映像生成部２１４０相当）とバッテリ部２１５０との間にスペース２１８２が生じる。そこで、図４６に示すように、スライド部２１９０を収納するときには、非球面ミラー２１１２、投写窓２１１３を含むスライド部２１９０とともに、投写レンズ群２１１１、映像生成部２１４０および冷却部２１７０がスペース２１８２に収納されるように平行移動する。
【０２３０】
［変形例３］
以下において、第３−１実施形態に係るスライド部の他の変形例について、図面を参照しながら説明する。図４７は投写型映像表示装置から映像光を投写するときの内部構成を示す図であり、図４８はスライド部を収納したときの内部構成を示す図である。
【０２３１】
図４７に示すように、非球面ミラー２１１２は、映像光を投写するときに、投写レンズ群２１１１の光軸に対して、背面２１０７側にかつ傾いて配置されている。そこで、図４８に示すように、スライド部２１９０を収納するときには、スライド部２１９０の平行移動に連動して、非球面ミラー２１１２の一端を中心軸として非球面ミラー２１１２を回動させる。非球面ミラー２１１２が回動することに伴って、投写型映像表示装置２１００のＺ軸方向の寸法が小さくなり、投写窓２１１３を含むスライド部２１９０がスペース２１８３に収納される。
【０２３２】
［その他の変形例]
上記の例以外にも、冷却部２１７０を照明部２１３０（映像生成部２１４０）の下方へ配置して、冷却部２１７０と照明部２１３０の間にスペースを設けてもよい。この場合、投写部２１１０および映像生成部２１４０を含むスライド部２１９０がこのスペースに収納される。
【０２３３】
プリズムブロック２１２１を用いず、投写レンズ群２１１１の光軸に対して垂直となるようにＤＭＤ２１２０を配置して、投写レンズ群２１１１とＤＭＤ２１２０との間にスペースを設けてもよい。この場合、投写部２１１０がこのスペースに収納される。
【０２３４】
（作用・効果）
第３−１実施形態では、投写型映像表示装置２１００は、映像光を生成する映像光生成部２１４０と、映像光生成部から出射された映像光を投写面側へ反射する非球面ミラー２１１２と、を備えるものである。投写型映像表示装置２１００は、映像光生成部２１４０へ電力を供給するバッテリ部２１５０を備え、バッテリ部２１５０は、非球面ミラー２１１２と可及的に離れた位置、具体的には、非球面ミラー２１１２が最上部に設けられ、バッテリ部２１５０が最下部に設けられる。従って、重量のある非球面ミラー２１１２とバッテリ部２１５０とが離れた位置に設けられるので、装置全体の重量バランスを平衡に保つことができる。
【０２３５】
また、第３−１実施形態では、投写型映像表示装置２１００は、映像光を生成する映像光生成部２１４０と、映像光生成部２１４０を収納する筐体２１０１と、筐体２１０１に設けられ映像光生成部２１４０から出射された映像光が透過する投写窓２１１３とを備えるものである。筐体２１０１は、Ｚ軸方向の寸法が変化するスライド部２１９０を有する。投写窓２１１３は、映像光を投写しないとき、スライド部２１９０によって筐体２１０１内部に収納される。従って、投写窓２１１３にキズや汚れがつくことを抑制できる。
【０２３６】
［第３−２実施形態］
以下において、第３−２実施形態に係る投写型映像表示装置の構成について、図面を参照しながら説明する。なお、第３−２実施形態において、第３−１実施形態と重複するところは、説明を省略する。図４９は、第３−２実施形態に係る投写型映像表示装置の構成を示す正面図である。
【０２３７】
図４９に示すように、投写型映像表示装置２２００は、映像生成部２２４０の構成、冷却部２２７０の配置が第３−１実施形態と大きく異なることに留意すべきである。また、第３実施形態では、底面２２０５を設置面（水平面）とし、床や机などの水平面に映像光を投写する状態を床面投写モード、背面２２０７を設置面（水平面）とし、スクリーンや壁などの鉛直面に映像光を投写する状態を壁面投写モードと称する。
【０２３８】
第３実施形態では、赤、緑、青の光を出射するＬＥＤ２２３１Ｒ、２２３１Ｇ、２２３１Ｂ、ダイクロイックプリズム２２３２およびテーパロッド２２３３は、投写レンズ群２２１１よりも背面２２０７側に配される。図４９では、これらの光学部材は投写レンズ群２２１１によって隠された位置となる。テーパロッド２２３３から出射した光は、レンズ２２３４、２２３５、２２３６およびミラー２２３７、２２３８によって、合成光の光路をスペースに合わせて折り曲げられ、ＤＭＤ２２２０に結像する。
【０２３９】
ＤＭＤ２２２０は、投写レンズ群２２１１の光軸に対して垂直となるように配される。従って、第３−２実施形態では、プリズムブロックは不要となる。ＤＭＤ２２２０には、照明部２２３０の各光学部材によって、投写レンズ群２２１１の光軸に対して鋭角な方向から導かれた合成光が照射される。ＤＭＤ２２２０はこの合成光のうち、映像入力信号に応じて変調された映像光を投写レンズ群２２１１へ向けて反射する。ＤＭＤ２２２０の近傍には、ＤＭＤ２２２０を制御するＤＭＤ制御回路２２２２が配される。第３−２実施形態では、ＤＭＤ制御回路２２２２はＤＭＤ２２２０の裏面側に配される。
【０２４０】
ＬＥＤ２２３１近傍には、ＬＥＤ２２３１を制御するＬＥＤ制御回路２２３９が配される第３−２実施形態では、ＬＥＤ制御回路２２３９は、投写レンズ群２２１１の外玉レンズの背面２２０７側に配される。これにより、ＬＥＤ制御回路２２３９は、ＬＥＤ２２３１近傍に配されるとともに、ＤＭＤ制御回路２２２２とは可及的に離して配することができる。
【０２４１】
制御部２２６０の制御回路２２６８は、傾斜センサ２２６９を有する。傾斜センサ２２６９は、検出した傾きに関する情報を制御回路２２６８へ送信する。制御回路２２６８は、受信した情報から、ユーザが投写型映像表示装置２２００を、底面２２０５を設置面とする床面投写モードで利用するか、背面２２０７を設置面とする壁面投写モードで利用するかを判別する。制御回路２２６８は、判別した投写モードに応じて、ＤＭＤ制御回路２２２２へ制御信号を送る。詳細は後述するが、ＤＭＤ制御回路２２２２は、投写モードに関する制御信号に応じて、ＤＭＤ２２２０の有効領域の大きさやアスペクト比、投写画像の上下・左右の方向を制御する。
【０２４２】
投写レンズ群２２１１の、他の側面２２０３側の領域には、冷却部２２７０が配される。第３−２実施形態では、ＬＥＤ２２３１を冷却するシロッコファン２２７３のほか、ＤＭＤ２２２０を冷却するシロッコファン２２７５およびヒートシンク２２７６が配される。
【０２４３】
（投写モードの切替機能）
以下において、第３−２実施形態に係る投写型映像表示装置の投写モードの切替機能について、図面を参照しながら説明する。図５０は第３−２実施形態に係る投写型映像表示装置の投写モードを示す図であって、図５０（ａ）は床面投写モード、図５０（ｂ）は壁面投写モードである。
【０２４４】
投写型映像表示装置２２００は、映像光を投写するときに、傾斜センサ２２６９によって検出した傾きに関する情報に基づいて設置面を判別する。図５０（ａ）に示すように、設置面が底面２２０５であるときは、ユーザ（観察者）は、投写画像を遠方側（Ｆａｒ側）から観察する場合が多いので、投写型映像表示装置２２００は、投写画像の向きをＦａｒ側が下となるように投写する。詳細には、傾斜センサ２２６９が、底面２２０５が設置面であると判別したとき、制御回路２２６８は、Ｆａｒ側が下となるようにＤＭＤ制御回路２２２２へ制御信号を送る。
【０２４５】
一方、図５０（ｂ）に示すように、設置面が背面２２０７であるときは、ユーザ（観察者）は、投写画像の近接側（Ｎｅａｒ側）を下として観察するので、投写型映像表示装置２２００は、投写画像の向きをＮｅａｒ側が下となるように投写する。詳細には、傾斜センサ２２６９が、背面２２０７が設置面であると判別したとき、制御回路２２６８は、Ｎｅａｒ側が下となるようにＤＭＤ制御回路２２２２へ制御信号を送る。
【０２４６】
これにより、投写型映像表示装置２２００を置くだけで、投写画像が適切な向きで投写されるので、ユーザの利便性が向上する。
【０２４７】
［変形例１］
以下において、第３−２実施形態に係る投写モードの切替機能の一変形例について、図面を参照しながら説明する。図５１は変形例１に係る投写型映像表示装置の投写モードを示す図であって、図５１（ａ）は床面投写モード、図５１（ｂ）は壁面投写モードである。変形例１においても、投写型映像表示装置２２００は、映像光を投写するときに、傾斜センサ２２６９によって検出した傾きに関する情報に基づいて設置面を判別する。
【０２４８】
図５１（ａ）に示すように、設置面が底面２２０５であるときは、複数のユーザ（観察者）が、投写画像を挟んで対峙して観察する場合があるので、投写型映像表示装置２２００は、投写画像のアスペクト比を縦長となるように投写する。具体的には、制御回路２２６８は、Ｈ：Ｖが３：４となるようにＤＭＤ制御回路２２２２へ制御信号を送る。
【０２４９】
一方、図５１（ｂ）に示すように、設置面が背面２２０７であるときは、ユーザ（観察者）は、投写画像に対して正面から観察するので、投写型映像表示装置２２００は、投写画像のアスペクト比を横長となるように投写する。具体的には、制御回路２２６８は、Ｈ：Ｖが４：３となるようにＤＭＤ制御回路２２２２へ制御信号を送る。
【０２５０】
［変形例２］
以下において、第３−２実施形態に係る投写モードの切替機能の他の変形例について、図面を参照しながら説明する。図５２は変形例２に係る投写型映像表示装置の床面投写モードを示す図であって、図５２（ａ）は通常の床面投写モード（以下、通常モードと称する。）、図５２（ｂ）は投写画像の面積を大きくした床面投写モード（以下、拡大モードと称する。）である。
【０２５１】
変形例２において、投写型映像表示装置２２００は、底面２２０５に脚部２２０８と、脚部２２０８の長さを検出する脚部センサ２２０８ｓとを有する。投写型映像表示装置２２００は、映像光を投写するときに、脚部センサ２２０８ｓによって検出した脚部２２０８の長さに関する情報に基づいて投写距離を推定する。また、通常モードでは、投写画像の面積がＳである領域に対し、投写画像の輝度がＬとなるように投写するために必要なＬＥＤ２２３１の光量をＥとする。
【０２５２】
図５２（ｂ）に示すように、底面２２０５から脚部２２０８を延伸し、投写窓２２１３から設置面までの距離（投写距離）を長くすると、拡大モードの投写画像の面積Ｓ’は、通常モードの面積Ｓよりも大きくなる（Ｓ’＞Ｓ）。このとき、ＬＥＤ２２３１の光量がＥであると、拡大モードの投写画像の輝度が、通常モードの輝度Ｌに比べて低下してしまう。
【０２５３】
そこで、脚部センサ２２０８ｓからの情報により、拡大モードであると推定されたとき、制御回路２２６８は、ＬＥＤ２２３１の光量がＥ’（＞Ｅ）となるようにＬＥＤ駆動回路２２３９へ制御信号を送る。これにより、通常モードのときの輝度Ｌと拡大モードのときの輝度Ｌ’とが、略同じ輝度となる（Ｌ≒Ｌ’）。
【０２５４】
［変形例３］
以下において、第３−２実施形態に係る投写モードの切替機能のさらに他の変形例について、図面を参照しながら説明する。図５３は変形例３に係る投写型映像表示装置の床面投写モードを示す図である。変形例３では、変形例２との相違点についてのみ説明する。
【０２５５】
変形例３において、投写型映像表示装置２２００は、上部に首部２２０９と、首部２２０９の長さを検出する首部センサ２２０９ｓとを有する。首部２２０９の上部には非球面ミラー２２１２が配され、首部２２０９を伸縮することにより、投写レンズ群２２１１と非球面ミラー２２１２との距離が調整される。投写型映像表示装置２２００は、映像光を投写するときに、脚部センサ２２０９ｓによって検出した首部２２０９の長さに関する情報に基づいて、投写距離および投写レンズ群２２１１と非球面ミラー２２１２との距離を推定する。
【０２５６】
天面２２０４には、首部２２０９を引っ張るハンドル部２２０４ｈが設けられる。さらにハンドル部２２０４ｈにボタン（不図示）を設け、ボタンを押下したときに、首部２２０９を延伸することができるように設定してもよい。ボタンを押下していないときには、首部２２０９が延伸しないため、ハンドル部２２０４ｈは、投写型映像表示装置２２００を持ち運ぶときにも有用である。
【０２５７】
［その他の変形例]
上記の例以外にも、投写型映像表示装置２２００は、照度センサを備えていてもよい。照度センサにより、投写型映像表示装置２２００の使用環境の明るさを推定することが可能となる。使用環境および投写画像の面積Ｓに応じて、光源（ＬＥＤ２２３１）の光量Ｅを制御することにより、投写型映像表示装置２２００の低消費電力運転を実現することができるほか、ユーザに対して目に優しい画像を提供できる。
【０２５８】
また、上記の例は組み合わせも可能である。例えば、横長の投写画像を縦長の投写画像へ切り替るとき、脚部２２０８の調整をして投写画面の面積Ｓを大きくするとよい。縦長に画像を投写する場合、ＤＭＤ制御回路２２２２での信号処理によって、ＤＭＤ２２２０の有効表示領域の変形を行う。これにより、ＤＭＤ２２２０の有効表示領域が小さくなり、投写画面の面積Ｓが小さくなる。そこで、脚部２２０８を延伸して投写距離を長くすることで、面積Ｓを維持することが可能となる。
【０２５９】
（作用・効果）
第３−２実施形態では、投写型映像表示装置２２００は、映像光を生成する映像光生成部２２４０と、映像光生成部２２４０から出射された映像光を投写面側へ反射する非球面ミラー２２１２と、を備えるものである。投写型映像表示装置２２００は、映像光生成部２２４０へ電力を供給するバッテリ部２２５０を備え、バッテリ部２２５０は、非球面ミラー２２１２と可及的に離れた位置に設けられる。
【０２６０】
また、映像光生成部２２４０を冷却する冷却部２２７０をさらに備え、冷却部２２７０のうち、具体的には軸流ファン２２７２、シロッコファン２２７５、ヒートシンク２２７６、シロッコファン２２７７もまた、非球面ミラー２２１２と可及的に離れた底面２２０５に近い位置に設けられるとよい。これにより、非球面ミラー２２１２やバッテリ部２２５０についで、重量のある冷却部２２７０が非球面ミラー２２１２と離れた位置に設けられるので、装置全体の重量バランスを平衡に保つことができる。また、バッテリ部２２５０と冷却部２２７０とが近接して、底面に近い位置に設けられるので、底面の面積が小さくても安定して設置することができる。
【０２６１】
また、第３−２実施形態では、投写型映像表示装置２２００は、投写面に対する自装置の状態を検出する傾斜センサ２２６９や、脚部センサ２２０８ｓ、首部センサ２２０９ｓと、検出された状態に応じて、映像光の状態を制御する制御部２２６０とを備えるものである。従って、投写型映像表示装置２２００が自装置の状態、具体的には設置面や投写距離を判断し、ユーザにとって最も観察しやすいと考えられる状態（向きや明るさなど）で映像を投写するので、ユーザの利便性の向上を図ることができる。
【０２６２】
［第４実施形態］
以下において、第４実施形態について、図面を参照しながら説明する。以下においては、第１実施形態に対する相違点について主として説明する。
【０２６３】
具体的には、第４実施形態では、インタラクティブ機能で必要とされる撮像装置及び撮像装置の制御基板の配置について、図５４〜図５６を参照しながら説明する。図５４は、第４実施形態に係る投写型映像表示装置１００の外観を示す図である。図５５は、第４実施形態に係る投写型映像表示装置１００の内部を示す図である。図５６は、第４実施形態に係る投写型映像表示装置１００の正面視を示す図である。
【０２６４】
撮像装置及び制御基板は、図５４及び図５５に示す領域Ｙ１に配置されることが好ましい。領域Ｙ１は、図５４に示すように、透過領域２１０（投写窓）よりも天板側の領域であり、図５５に示すように、反射ミラー１１２よりも正面側の領域である。なお、撮像装置及び制御基板は、反射ミラー１１２で反射される映像光を遮光しない位置に配置されることは勿論である。
【０２６５】
また、撮像装置の光取入口は、図５５に示す領域Ｚ１又は領域Ｚ２に配置されることが好ましい。領域Ｚ１は、図５５に示すように、透過領域２１０よりも天板側の領域である。また、領域Ｚ２は、図５５に示すように、透過領域２１０の一部である。なお、撮像装置の光取入口は、透過領域２１０を透過する映像光を遮光しない位置に配置されることは勿論である。
【０２６６】
（作用及び効果）
第４実施形態では、撮像装置及び制御基板は、図５４及び図５５に示す領域Ｙ１に配置される。ここで、電源基板１５０や主制御基板１６０は、図３に示したように、底面側に配置されるため、領域Ｙ１はデッドスペースである。このようなデッドスペースを有効に利用することができるため、投写型映像表示装置１００を小型化することが可能である。
【０２６７】
第４実施形態では、撮像装置の光取入口は、図５５に示す領域Ｚ１又は領域Ｚ２に配置される。すなわち、透過領域２１０と同程度以上の高さから、投写面の反射光を取入れるため、投写型映像表示装置と投写面との距離が非常に近い場合であっても、投写面の映像を撮像することができる。また、光取入口と撮像装置（又は、制御基板）との距離が近いため、余分な配線等が不要である。
【０２６８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０２６９】
実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、反射型の液晶パネルであってもよく、透過型の液晶パネルであってもよい。
【０２７０】
実施形態では、フォーカス調整具２６０は、非被覆状態から被覆状態への遷移において、カバー体（第１筐体２００Ａ又はカバー体２００Ｃ）の移動によって初期位置に戻る。しかしながら、実施形態は、これに限定されるものではない。具体的には、フォーカス調整具２６０は、被覆状態から非被覆状態への遷移において、カバー体（第１筐体２００Ａ又はカバー体２００Ｃ）の移動によって初期位置に戻ってもよい。
【０２７１】
実施形態では特に触れていないが、運転制御部３２０は、投写型映像表示装置１００の運転開始後において、筐体２００内の冷却状態が所定状態よりも悪い場合に、投写型映像表示装置１００の運転を終了する。すなわち、運転制御部３２０は、筐体２００が正しく配置されていないことに起因して、冷却状態が悪い場合に、投写型映像表示装置１００の運転を終了する。言い換えると、運転制御部３２０は、例えば、筐体２００の底面が傾いた平面に配置されたケースにおいて、検出部４００によって基準面の誤検出が生じた場合であっても、投写型映像表示装置１００の運転を適切に終了することができる。
【０２７２】
実施形態では、検出点４１０が機械的なスイッチであるケースについて例示した。しかしながら、実施形態は、これに限定されるものではない。検出点４１０は、圧力センサであってもよい。或いは、検出部４００は、筐体２００の底面全体の圧力分布を検出可能に構成された圧力センサであってもよい。
【０２７３】
実施形態では、光源としてＬＥＤを用いて説明したが、光源はＬＥＤに限定されるものではなく、固体光源としてはレーザ光源、ランプ光源としては高圧水銀ランプやキセノンランプなども利用可能である。光変調素子としては、ＤＭＤを用いて説明したが、透過型、半透過型あるいは反射型の液晶パネルなども利用可能である。
【０２７４】
実施形態では、筐体は６面を有する略直方体の形状で説明したが、筐体形状は直方体に限定されるものではなく、デザイン性を重視した形状でもよい。また、直方体の頂点や辺において丸みを帯びていても良く、中央部分や重心付近に突起や凹みがある形状でもよい。中央部分や重心付近に突起や凹みがあると、持ち運びに便利である。
【０２７５】
バッテリ部としてニッケル水素電池が投写型映像表示装置の底面に固定されている構成を用いて説明したが、ニッケル水素電池は、別の電池と交換できるようにバッテリ制御部とコネクタを介して接続されていてもよい。また、バッテリ制御部は、電源コネクタを介して直接、商用電源から各部へ電力を供給できるように制御してもよい。これにより、１つの電池の残量が低下しても、別の電池と交換したり、商用電源から電力を供給したりすることで、長時間、映像を表示することができる。
【０２７６】
投写型映像表示装置の起動は電源スイッチを押下する構成を用いて説明したが、スライド部が電源スイッチとして機能してもよい。すなわち、スライド部が引き出され、映像光が投写窓から出射できる状態となることにより投写型映像表示装置が起動し、スライド部が筐体の内部に収納されることにより停止するように構成してもよい。
【０２７７】
投写画像のアスペクト比はＨ：Ｖ＝４：３を標準として説明したが、アスペクト比はＨ：Ｖ＝１６：９のものがあるのはもちろんである。
【０２７８】
操作ボタンやスイッチが筐体の天面や側面に配される構成を用いて説明したが、操作はリモコンを用いて行なってもよい。この場合、リモコンからの信号を受信する受光部は、正面や側面の上部（非球面ミラー側）に配するとよい。投写型映像表示装置を利用するときに上部となる部分に受光部が配されると、信号が遮蔽されることがない。
【符号の説明】
【０２７９】
１０…光源、３０…ダイクロイックプリズム、４０…ロッドインテグレータ、５１〜５２…ミラー、６１〜６３…レンズ、７０…DMD、８０…反射プリズム、１００…投写型映像表示装置、１１０…投写光学系、１１１…投写レンズ群、１１２…反射ミラー、１２０…照明光学系、１３０…冷却ファン、１４０…バッテリ、１５０…電源基板、１６０…主制御基板、１７０…操作基板、２００…筐体、２００Ａ…第１筐体、２００Ｂ…第２筐体、２００Ｃ…カバー体、２０１Ａ…突起、２０１Ｃ…突起、２１０…透過領域、２１１…回動軸、２６０…フォーカス調整具、３００…制御ユニット、３１０…判定部、３２０…運転制御部、４００…検出部、４１０…検出点、５００…バッテリ、１１００、１２００…投写型映像表示装置、１１０１、１２０１…筐体（１１０２、１２０２…一側面、１１０２ａ…一側面の重畳部、１１０３、１２０３…他の側面、１１０４、１２０４…天面、１１０５、１２０５…底面、１１０６、１２０６…正面、１１０７、１２０７…背面、１１１０、１２１０…投写部、１１１１、１２１１…投写レンズ群、１１１２、１２１２…非球面ミラー、１１１３、１２１３…投写窓、１１２０、１２２０…ＤＭＤ、１１２１…プリズムブロック（１１２１ａ…面）、１１２２、１２２２…ＤＭＤ制御回路、１１３０、１２３０…照明部、１１３１、１２３１…ＬＥＤ（１１３１Ｒ、１２３１Ｒ…赤色ＬＥＤ、１１３１Ｇ、１２３１Ｇ…緑色ＬＥＤ、１１３１Ｂ、１２３１Ｂ…青色ＬＥＤ）、１１３２、１２３２…ダイクロイックプリズム、１１３３、１２３３…テーパロッド、１１３４、１１３５、１１３６、１２３４、１２３５、１２３６…レンズ、１１３７、１１３８、１２３７、１３３８…ミラー、１１３９、１２３９…ＬＥＤ制御回路、１１４０、１１４０…映像光生成部、１１５０、１２５０…バッテリ部、１１５１、１２５１…バッテリ、１１５２、１２５２…バッテリ制御回路、１１５３、１２５３…電源コネクタ、１１６０、１２６０…制御部、１１６１…映像コネクタ、１１６３…ＳＤカードのスロット、１１６４…ＵＳＢコネクタ、１１６６…電源ボタン、１１６７…メニューボタン、１１６８…方向ボタン、１１６９、１２６８…制御回路、１１７０、１２７０…冷却部、１１７１、１２７１…排気口、１１７２、１２７２…軸流ファン、１１７３、１２７３、１２７５、１２７７…シロッコファン、１１７４、１２７４…吸気口、１１８０、１１８１、１１８２、１１８３…スペース、１１９０…スライド部（１１９２…一側面、１１９３…他の側面、１１９４…天面、１１９６…正面、１１９７…背面）、１２０８…脚部（１２０８ｓ…脚部センサ）、１２０９…首部（１２０８ｓ…首部センサ）、１２６９…傾斜センサ、１２７６…ヒートシンク、２１００、２２００…投写型映像表示装置、２１０１、２２０１…筐体（１１０２、ＸＸＸＸＸＸＸ１２０２Ｘ…一側面、２１０２ａ…一側面の重畳部、２１０３、２２０３…他の側面、２１０４、２２０４…天面、２１０５、２２０５…底面、２１０６、２２０６…正面、２１０７、２２０７…背面）、２１１０…投写部、２１１１、２２１１…投写レンズ群、２１１２、２２１２…非球面ミラー、２１１３、２２１３…投写窓、２１２０、２２２０…ＤＭＤ、２１２１…プリズムブロック（２１２１ａ…面）、２１２２、２２２２…ＤＭＤ制御回路、２１３０、２２３０…照明部、２１３１、２２３１…ＬＥＤ（２１３１Ｒ、２２３１Ｒ…赤色ＬＥＤ、２１３１Ｇ、２２３１Ｇ…緑色ＬＥＤ、２１３１Ｂ、２２３１Ｂ…青色ＬＥＤ）、２１３２、２２３２…ダイクロイックプリズム、２１３３、２２３３…テーパロッド、２１３４、２１３５、２１３６、２２３４、２２３５、２２３６…レンズ、２１３７、２１３８、２２３７、２３３８…ミラー、２１３９、２２３９…ＬＥＤ制御回路、２１４０、２２４０…映像生成部、２１５０、２２５０…バッテリ部、２１５１、２２５１…バッテリ、２１５２、２２５２…バッテリ制御回路、２１５３、２２５３…電源コネクタ、２１６０、２２６０…制御部、２１６１、２１６２…映像コネクタ、２１６３…ＳＤカードのスロット、２１６４…ＵＳＢコネクタ、２１６５…ＬＡＮコネクタ、２１６６…電源スイッチ、２１６７…操作ボタン、２１６８、２２６８…制御回路、２１７０、２２７０…冷却部、２１７１、２２７１…排気口、２１７２、２２７２…軸流ファン、２１７３、２２７３、２２７５、２２７７…シロッコファン、２１７４、２２７４…吸気口、２１８０、２１８１、２１８２、２１８３…スペース、２１９０…スライド部（２１９２…一側面、２１９３…他の側面、２１９４…天面、２１９６…正面、２１９７…背面）、２２０８…脚部（２２０８ｓ…脚部センサ）、２２０９…首部（２２０８ｓ…首部センサ）、２２６９…傾斜センサ、２２７６…ヒートシンク
【図１】
2011197644.tif 000003
【図２】
2011197644.tif 000004
【図３】
2011197644.tif 000005
【図４】
2011197644.tif 000006
【図５】
2011197644.tif 000007
【図６】
2011197644.tif 000008
【図７】
2011197644.tif 000009
【図８】
2011197644.tif 000010
【図９】
2011197644.tif 000011
【図１０】
2011197644.tif 000012
【図１１】
2011197644.tif 000013
【図１２】
2011197644.tif 000014
【図１３】
2011197644.tif 000015
【図１４】
2011197644.tif 000016
【図１５】
2011197644.tif 000017
【図１６】
2011197644.tif 000018
【図１７】
2011197644.tif 000019
【図１８】
2011197644.tif 000020
【図１９】
2011197644.tif 000021
【図２０】
2011197644.tif 000022
【図２１】
2011197644.tif 000023
【図２２】
2011197644.tif 000024
【図２３】
2011197644.tif 000025
【図２４】
2011197644.tif 000026
【図２５】
2011197644.tif 000027
【図２６】
2011197644.tif 000028
【図２７】
2011197644.tif 000029
【図２８】
2011197644.tif 000030
【図２９】
2011197644.tif 000031
【図３０】
2011197644.tif 000032
【図３１】
2011197644.tif 000033
【図３２】
2011197644.tif 000034
【図３３】
2011197644.tif 000035
【図３４】
2011197644.tif 000036
【図３５】
2011197644.tif 000037
【図３６】
2011197644.tif 000038
【図３７】
2011197644.tif 000039
【図３８】
2011197644.tif 000040
【図３９】
2011197644.tif 000041
【図４０】
2011197644.tif 000042
【図４１】
2011197644.tif 000043
【図４２】
2011197644.tif 000044
【図４３】
2011197644.tif 000045
【図４４】
2011197644.tif 000046
【図４５】
2011197644.tif 000047
【図４６】
2011197644.tif 000048
【図４７】
2011197644.tif 000049
【図４８】
2011197644.tif 000050
【図４９】
2011197644.tif 000051
【図５０】
2011197644.tif 000052
【図５１】
2011197644.tif 000053
【図５２】
2011197644.tif 000054
【図５３】
2011197644.tif 000055
【図５４】
2011197644.tif 000056
【図５５】
2011197644.tif 000057
【図５６】
2011197644.tif 000058